(57)【要約】ピーク電力管理技法を使用したＨＡＲＱ再送信を低減させるためのシステム、方法および装置が、提示される。一例においては、レシーバは、ＨＡＲＱ再送信を低減させるためのマルチレベルエラー訂正を実行することができる。レシーバは、末端のトランスミッタのフロントエンドを起源とする再送信を利用して第１のレベルのエラー訂正を実行するように構成されたピーク対平均電力比管理モジュール（ＰＡＰＲ  ＭＭ）デコーダを含むことができる。レシーバは、ＰＡＰＲ  ＭＭデコーダに接続されたシンボルデマッピングモジュールと、そのシンボルデマッピングモジュールに接続されたデインターリーバと、そのデインターリーバとＰＡＰＲ  ＭＭデコーダとに接続されたデコーダと、をさらに含むことができ、ここでデコーダは、末端のトランスミッタのバックエンドを起源とする再送信を利用して第２のレベルのエラー訂正を実行するように構成されていることができる。ＰＡＰＲ技法を使用してＨＡＲＱ再送信を低減させるためのトランスミッタもまた、提示される。
2011524146.tif 000002
【特許請求の範囲】
【請求項１】
通信リンク上で受信されるエラーを訂正するための方法であって、
デコーダにおいてパケットを受信することと、なお前記パケットは、初期送信の第１の再送信である、
前記パケットが、前記初期送信および／または前記再送信を使用して訂正不可能であるエラーを含むかどうかを決定することと、
ピーク対平均電力比（ＰＡＰＲ）管理モジュールエンコーダを起源とする前記パケットの後続の再送信に基づいて第１のレベルのエラー訂正を実行することと、
前記破損されたパケットが、前記第１のエラー訂正によって訂正されることができるかどうかを決定することと、
前記第１のエラー訂正が、前記破損されたパケットを訂正することができない場合に、エンコーダを起源とする後続の再送信に基づいて第２のレベルのエラー訂正を実行することと、
を備える方法。
【請求項２】
前記ＰＡＰＲ管理モジュールエンコーダを起源とする前記後で再送信されたパケットに対応するサイド情報を決定することと、
前記サイド情報が、訂正不可能なエラーを含むかどうかを決定することと、
をさらに備える請求項１に記載の方法。
【請求項３】
前記サイド情報が、訂正不可能なエラーを含まない場合に、別の第２のレベルのエラー訂正を実行することと、
前記サイド情報エラー訂正が、成功しなかった場合に、第１のレベルのエラー訂正メトリックを決定することと、
をさらに備える請求項２に記載の方法。
【請求項４】
前記エラー訂正メトリックが、しきい値を超過するかどうかを決定すること、
をさらに備え、前記しきい値が、超過されなかった場合に、
前記第１のエラー訂正メトリックに関連するカウンタを増分することと、
前記ＰＡＰＲ管理モジュールエンコーダを起源とする別の後続の送信を使用して前記第１のレベルのエラー訂正を再び実行することと、
をさらに備える請求項３に記載の方法。
【請求項５】
前記エラー訂正メトリックが、しきい値を超過するかどうかを決定すること、
をさらに備え、前記しきい値が、超過された場合に、
前記エラー訂正メトリックに対応する前記カウンタを初期化することと、
前記エンコーダを起源とする別の後続の送信を使用して前記第２のレベルのエラー訂正を再び実行することと、
をさらに備える請求項４に記載の方法。
【請求項６】
前記ＰＡＰＲ管理モジュールエンコーダを起源とする前記後で再送信されたパケットに対応する前記サイド情報を受信することと、
前記受信されたサイド情報に対してエラー訂正オペレーションを実行することと、
をさらに備える請求項２に記載の方法。
【請求項７】
通信リンク上で送信されるエラーを訂正する方法であって、
パケットをレシーバへと送信することと、
ピーク対平均電力比管理モジュール（ＰＡＰＲ  ＭＭ）エンコーダに前記パケットに対応する送信シンボルをバッファすることと、
前記レシーバから前記パケットのステータスに関する通知を受信することと、
受信された通知に基づいて第１の符号化と第２の符号化との間で選択することと、
を備え、前記第１の符号化は、前記ＰＡＰＲ  ＭＭエンコーダに関連する第１のレベルのエラー訂正に対応し、そして前記第２の符号化は、チャネルエンコーダに関連する第２のレベルのエラー訂正に対応する、方法。
【請求項８】
前記通知が、前記送信パケットが訂正不可能なエラーを有したことを示したことを決定することと、なお前記通知は、前記第１のレベルのエラー訂正に関連づけられる、
前記バッファされたシンボルを使用してトランスミッタのフロントエンドにおける前記ＰＡＰＲ  ＭＭエンコーダにおいて前記パケットを再符号化することと、
前記再符号化されたパケットを前記レシーバへと送信することと、
をさらに備える請求項７に記載の方法。
【請求項９】
前記通知が、前記送信パケットが訂正不可能なエラーを有したことを示したことを決定することと、なお前記通知は、前記第２のレベルのエラー訂正に関連づけられる、
トランスミッタのバックエンドにおける前記チャネルエンコーダにおいて前記パケットを再符号化することと、
前記再符号化されたパケットを前記レシーバへと送信することと、
をさらに備える請求項７に記載の方法。
【請求項１０】
選択的マッピング（ＳＬＭ）を使用して前記パケットを再符号化することと、
前記再符号化されたパケットに加えてサイド情報を前記レシーバへと送信することと、
をさらに備える請求項８に記載の方法。
【請求項１１】
前記通知が、前記送信パケットが、訂正不可能なエラーを有さなかったことを示したことを決定することと、
再送信ウィンドウを前方へと移動させることと、
次のパケットを送信することと、
さらに備える請求項７に記載の方法。
【請求項１２】
ＨＡＲＱ再送信を低減させるマルチレベルエラー訂正を実行するための方法であって、
第１のレシーバにおいて、第２のトランスミッタからパケット再送信を受信することと、
前記第１のレシーバにおいて、前記パケットが、前記再送信および／または初期送信を使用して訂正不可能であるエラーを含むかどうかを決定することと、
第１のトランスミッタから、否定応答（ＮＡＣＫ）を第２のレシーバへと送信することと、
前記第２のトランスミッタにおいて、前記ＮＡＣＫに基づいて第１の符号化と第２の符号化との間で選択することと、
を備え、前記第１の符号化は、ＮＡＣＫタイプ１に関連する第１のレベルのエラー訂正に対応し、そして前記第２の符号化は、ＮＡＣＫタイプ２に関連する第２のレベルのエラー訂正に対応する、方法。
【請求項１３】
ＮＡＣＫタイプ１が送信された場合に、
前記第２のトランスミッタの中に存在するＰＡＰＲ  ＭＭエンコーダにおいて前記パケットを再符号化することと、
前記第２のトランスミッタから、後続の再送信を前記第１のレシーバへと送信することと、
前記第１のレシーバの中に存在するＰＡＰＲ  ＭＭデコーダにおいて前記後続の再送信を復号することと、
をさらに備える請求項１２に記載の方法。
【請求項１４】
前記ＰＡＰＲ  ＭＭエンコーダにおいてサイド情報を生成することと、
前記後続の送信を伴う前記サイド情報を前記第１のレシーバへと送信することと、
前記サイド情報を使用して前記ＰＡＰＲ  ＭＭデコーダにおいて前記後続の再送信を復号することと、
をさらに備える請求項１３に記載の方法。
【請求項１５】
前記ＰＡＰＲ  ＭＭデコーダにおいてサイド情報を推定することと、
前記推定されたサイド情報を使用して前記ＰＡＰＲ  ＭＭデコーダにおいて前記後続の再送信を復号することと、
をさらに備える請求項１３に記載の方法。
【請求項１６】
ＮＡＣＫタイプ２が送信された場合に、
前記第２のトランスミッタの中に存在するチャネルエンコーダにおいて前記パケットを再符号化することと、
前記第２のトランスミッタから、後続の再送信を前記第１のレシーバへと送信することと、
前記第１のレシーバの中に存在するチャネルデコーダにおいて前記後続の再送信を復号することと、
をさらに備える請求項１２に記載の方法。
【請求項１７】
ＨＡＲＱ再送信を低減させるためのマルチレベルエラー訂正を実行するレシーバであって、
末端のトランスミッタのフロントエンドを起源とする再送信を利用して第１のレベルのエラー訂正を実行するように構成されたピーク対平均電力比管理モジュール（ＰＡＰＲ  ＭＭ）デコーダと、
前記ＰＡＰＲ  ＭＭエンコーダに接続されたシンボルデマッピングモジュールと、
前記シンボルデマッピングモジュールに接続されたデインターリーバと、
前記デインターリーバと前記ＰＡＰＲ  ＭＭデコーダとに接続されたデコーダと、
を備え、前記デコーダは、末端のトランスミッタのバックエンドを起源とする再送信を利用して第２のレベルのエラー訂正を実行するように構成されている、レシーバ。
【請求項１８】
前記第１のレベルのエラー訂正は、前記末端のトランスミッタの中に存在するＰＡＰＲ  ＭＭエンコーダを起源とする再送信を処理する、請求項１７に記載のレシーバ。
【請求項１９】
前記第２のレベルのエラー訂正は、前記末端のトランスミッタの中に存在するチャネルエンコーダを起源とする再送信を処理する、請求項１７に記載のレシーバ。
【請求項２０】
前記ＰＡＰＲ  ＭＭデコーダは、選択的マッピングを使用してピーク電力を管理し、そして前記ＰＡＰＲ  ＭＭエンコーダから受信されるサイド情報に対してエラー訂正を実行する、請求項１８に記載のレシーバ。
【請求項２１】
前記ＰＡＰＲ  ＭＭデコーダは、ブラインド選択的マッピングを使用してピーク電力を管理し、そして受信されたデータパケットからサイド情報を推定する、請求項１８に記載のレシーバ。
【請求項２２】
前記ＰＡＰＲ  ＭＭデコーダは、最大尤度推定を使用してそのサイド情報を推定し、そして統計メトリックを使用して前記推定されたサイド情報の有効性を確認する、請求項２１に記載のレシーバ。
【請求項２３】
前記ＰＡＰＲ  ＭＭデコーダは、モバイルデバイスの中に存在し、そして
ＮＡＣＫタイプ１生成論理モジュールと、
前記ＮＡＣＫタイプ１生成モジュールに接続されたサイド情報デコーダモジュールと、
前記サイド情報デコーダモジュールに接続されたシンボル検出モジュールと、なお前記シンボル検出モジュールは、前記サイド情報デコーダモジュールから復号されたサイド情報を受信する、
前記シンボル検出モジュールに接続されたシンボルルックアップモジュールと、
をさらに備える、請求項１７に記載のレシーバ。
【請求項２４】
前記ＮＡＣＫタイプ１生成論理モジュールは、パケットエラーの数が、しきい値を超過するときに、ＮＡＣＫタイプ１についての基地局へと送信されるべき通知を提供する、請求項２３に記載のレシーバ。
【請求項２５】
前記ＰＡＰＲ  ＭＭデコーダは、基地局の中に存在し、そして
ＮＡＣＫタイプ１生成論理モジュールと、
前記ＮＡＣＫタイプ１生成モジュールに接続されたサイド情報デコーダモジュールと、
前記サイド情報デコーダモジュールに接続されたシンボル検出モジュールと、なお前記シンボル検出モジュールは、前記サイド情報デコーダモジュールからの復号されたサイド情報を受信する、
前記シンボル検出モジュールに接続されたシンボルルックアップモジュールと、
前記シンボル検出モジュールと前記ＮＡＣＫタイプ１生成論理モジュールとに接続されたスケジューラと、
をさらに備える、請求項１７に記載のレシーバ。
【請求項２６】
前記ＮＡＣＫタイプ１生成論理モジュールは、パケットエラーの数が、しきい値を超過するときに、ＮＡＣＫタイプ１についてのモバイルデバイスへと送信されるべき通知を提供する、請求項２５に記載のレシーバ。
【請求項２７】
前記スケジューラは、複数の移動局についての前記ＮＡＣＫタイプ１トランザクションのタイミングに適応する、請求項２５に記載のレシーバ。
【請求項２８】
前記スケジューラは、前記第１のレベルのエラー訂正に適応することができないモバイルデバイスについての前記ＮＡＣＫタイプ１機能を非アクティブにする、請求項２７に記載のレシーバ。
【請求項２９】
ＨＡＲＱ再送信を低減させるためのマルチレベルエラー訂正を実行するトランスミッタであって、
第１のレベルのエラー訂正に適応するフロントエンド再送信を提供するピーク対平均電力比管理モジュール（ＰＡＰＲ  ＭＭ）エンコーダと、
前記ＰＡＰＲ  ＭＭエンコーダに接続され、送信のためにデータを変調するための少なくとも１つのチャネルと、
を備え、前記少なくとも１つチャネルは、
チャネルエンコーダと、なお前記チャネルエンコーダは、第２のレベルのエラー訂正に適応するバックエンド再送信を提供するように構成されている、
前記チャネルエンコーダに接続されたインターリーバと、
前記インターリーバに接続されたシンボルマッピングモジュールと、
をさらに備える、トランスミッタ。
【請求項３０】
前記第１のレベルのエラー訂正は、末端のレシーバのフロントエンドにおける前記ＰＡＰＲ  ＭＭエンコーダを起源とする再送信を処理する、請求項２９に記載のトランスミッタ。
【請求項３１】
前記第２のレベルのエラー訂正は、末端のレシーバのバックエンドに存在する前記チャネルエンコーダを起源とする再送信を処理する、請求項２９に記載のトランスミッタ。
【請求項３２】
前記ＰＡＰＲ  ＭＭエンコーダは、選択的マッピングを使用してピーク電力を管理し、そしてさらに、サイド情報を前記末端のレシーバの前記フロントエンドへと送信する、請求項３０に記載のトランスミッタ。
【請求項３３】
前記ＰＡＰＲ  ＭＭエンコーダは、ブラインド選択的マッピングを使用してピーク電力を管理し、そしてサイド情報を前記末端のレシーバの前記フロントエンドへと送信しない、請求項３０に記載のトランスミッタ。
【請求項３４】
前記ＰＡＰＲ  ＭＭエンコーダは、モバイルデバイスの中に存在し、そして
ＮＡＣＫタイプ１デコーダ論理モジュールと、
サイド情報エンコーダモジュールと、
前記サイド情報エンコーダモジュールと前記ＮＡＣＫタイプ１デコーダ論理モジュールとに接続されたシンボル選択マッピング論理モジュールと、なお前記シンボル選択マッピング論理モジュールは、前記サイド情報エンコーダモジュールから符号化されたサイド情報を受信する、
前記シンボル選択マッピング論理モジュールに接続されたシンボル再生バッファと、
をさらに備える、請求項２９に記載のトランスミッタ。
【請求項３５】
前記ＮＡＣＫタイプ１デコーダ論理モジュールは、モバイルデバイスの中に存在するＮＡＣＫタイプ１生成論理モジュールによって送信されるＮＡＣＫタイプ１通知を復号することを提供する、請求項３４に記載のトランスミッタ。
【請求項３６】
前記ＰＡＰＲ  ＭＭエンコーダは、基地局の中に存在し、そして
ＮＡＣＫタイプ１デコーダ論理モジュールと、
前記ＮＡＣＫタイプ１デコーダ論理モジュールに接続されたサイド情報エンコーダモジュールと、
前記サイド情報エンコーダモジュールに接続されたシンボル選択マッピング論理モジュールと、なお前記シンボル選択マッピング論理モジュールは、前記サイド情報エンコーダモジュールから符号化されたサイド情報を受信する、
前記シンボル選択マッピング論理モジュールに接続されたシンボル再生バッファと、
前記シンボル選択マッピング論理モジュールと前記シンボル再生バッファと接続されたスケジューラと、
をさらに備える、請求項２９に記載のトランスミッタ。
【請求項３７】
前記ＮＡＣＫタイプ１デコーダ論理モジュールは、パケットエラーの数が、しきい値を超過するときに、ＮＡＣＫタイプ１についてのモバイルデバイスへと送信されるべき通知を受信する、請求項３６に記載のトランスミッタ。
【請求項３８】
前記スケジューラは、複数の移動局についての前記ＮＡＣＫタイプ１トランザクションのタイミングに適応する、請求項３６に記載のトランスミッタ。
【請求項３９】
前記スケジューラは、すべてのユーザデータをバッファし、そしてユーザのスロットまたは符号に応じてパケットを再送信するように前記シンボル選択マッピング論理モジュールに通知する、請求項３８に記載のトランスミッタ。
【請求項４０】
ＨＡＲＱ再送信を低減させるためのマルチレベルエラー訂正を調整するための方法であって、
レシーバのバックエンドから、訂正不可能なエラーを有する初期パケットを受信することに応じてローカルトランスミッタのバックエンドに対してＮＡＫタイプ２通知を提供することと、
レシーバの前記バックエンドにおいて、前記ＮＡＣＫタイプ２通知に応じて新しいチャネル符号化を有する第１の再送信パケットを受信することと、
前記レシーバのフロントエンドから、訂正不可能なエラーを有する前記第１の再送信パケットに応じてローカルトランスミッタのフロントエンドに対してＮＡＫタイプ１通知を提供することと、
前記レシーバの前記フロントエンドにおいて、末端のトランスミッタの前記フロントエンドを起源とする新しいＰＡＰＲ符号化を有する後で再送信されたパケットを受信することと、
を備える方法。
【請求項４１】
前記レシーバの前記バックエンドにおいて、訂正不可能なエラーを有する初期パケット送信を受信することと、
前記レシーバの前記バックエンドから、前記レシーバの前記フロントエンドに対してＮＡＣＫタイプ２についての通知を提供することと、
をさらに備える請求項４０に記載の方法。
【請求項４２】
前記レシーバの前記フロントエンドにおいて、サイド情報が、有効でないことを決定することと、
前記レシーバの前記フロントエンドにおいて、エラー訂正メトリックが超過されないことを決定することと、
前記レシーバの前記フロントエンドから、前記ローカルトランスミッタの前記フロントエンドに対してＮＡＣＫタイプ１通知を提供することと、
前記レシーバの前記フロントエンドにおいて、前記末端のトランスミッタの前記フロントエンドを起源とする新しいＰＡＰＲ符号化を有する別の後で再送信されたパケットを受信することと、
をさらに備える請求項４０に記載の方法。
【請求項４３】
前記レシーバの前記フロントエンドにおいて、サイド情報が、有効でないことを決定することと、
前記レシーバの前記フロントエンドにおいて、エラー訂正メトリックが超過されることを決定することと、
前記レシーバの前記フロントエンドから、前記レシーバの前記バックエンドに対してカウンタ満了通知を提供することと、
前記レシーバの前記バックエンドから、前記トランスミッタの前記バックエンドに対してＮＡＣＫタイプ２通知を提供することと、
前記レシーバの前記バックエンドフロントエンドにおいて、前記末端のトランスミッタの前記バックエンドを起源とする新しいチャネル符号化を有する別の再送信パケットを受信することと、
をさらに備える請求項４０に記載の方法。
【請求項４４】
ＨＡＲＱ再送信を低減させるためのマルチレベルエラー訂正を調整するための方法であって、
トランスミッタのバックエンドから、訂正不可能なエラーを有する初期パケット送信を提供することと、
ローカルレシーバのバックエンドから、前記トランスミッタの前記バックエンドに向けられた再送信要求を受信することと、
前記トランスミッタの前記バックエンドから、新しいチャネル符号化を有する後続のパケットを再送信することと、
前記ローカルレシーバのフロントエンドから、前記トランスミッタの前記フロントエンドに向けられた再送信要求を受信することと、
前記トランスミッタのフロントエンドから、新しいＰＡＰＲ符号化を有する後続のパケットを再送信することと、
を備える方法。
【請求項４５】
前記ローカルレシーバの前記フロントエンドから、前記トランスミッタの前記フロントエンドに向けられた後続の再送信要求を受信することと、
前記トランスミッタのフロントエンドから、新しいＰＡＰＲ符号化を有する別の後続のパケットを再送信することと、
をさらに備える請求項４４に記載の方法。
【請求項４６】
前記ローカルレシーバの前記バックエンドから、前記トランスミッタの前記バックエンドに向けられた後続の再送信要求を受信することと、
前記トランスミッタのバックエンドから、新しいチャネル符号化を有する別の後続のパケットを再送信することと、
をさらに備える請求項４４に記載の方法。
【請求項４７】
通信リンク上で受信されるエラーを訂正するための装置であって、
デコーダにおいてパケットを受信するための手段と、なお前記パケットは、初期送信の第１の再送信である、
前記パケットが、前記初期送信および／または前記再送信を使用して訂正不可能であるエラーを含むかどうかを決定するための手段と、
ピーク対平均電力比（ＰＡＰＲ）管理モジュールエンコーダを起源とする前記パケットの後続の再送信に基づいて第１のレベルのエラー訂正を実行するための手段と、
前記破損されたパケットが、前記第１のエラー訂正によって訂正されることができるかどうかを決定するための手段と、
前記第１のエラー訂正が、前記破損されたパケットを訂正することができない場合に、エンコーダを起源とする後続の再送信に基づいて第２のレベルのエラー訂正を実行するための手段と、
を備える装置。
【請求項４８】
前記ＰＡＰＲ管理モジュールエンコーダを起源とする前記後で再送信されたパケットに対応するサイド情報を決定するための手段と、
前記サイド情報が、訂正不可能なエラーを含むかどうかを決定するための手段と、
をさらに備える請求項４７に記載の装置。
【請求項４９】
前記サイド情報が、訂正不可能なエラーを含まない場合に、別の第２のレベルのエラー訂正を実行するための手段と、
前記サイド情報エラー訂正が、成功しなかった場合に、第１のレベルのエラー訂正メトリックを決定するための手段と、
をさらに備える請求項４８に記載の装置。
【請求項５０】
前記ＰＡＰＲ管理モジュールエンコーダを起源とする前記後で再送信されたパケットに対応する前記サイド情報を受信するための手段と、
前記受信されたサイド情報に対してエラー訂正オペレーションを実行するための手段と、
をさらに備える請求項４８に記載の装置。
【請求項５１】
前記第１のレベルのエラー訂正は、選択的マッピング（ＳＬＭ）を利用しており、そして前記エラー訂正オペレーションは、畳み込みエラー訂正符号化を備える、請求項５０に記載の装置。
【請求項５２】
通信リンク上で送信されるエラーを訂正する装置であって、
パケットをレシーバへと送信するための手段と、
ピーク対平均電力比管理モジュール（ＰＡＰＲ  ＭＭ）エンコーダに前記パケットに対応する送信シンボルをバッファするための手段と、
前記レシーバから前記パケットのステータスに関する通知を受信するための手段と、
受信された通知に基づいて第１の符号化と第２の符号化との間で選択するための手段と、
を備え、前記第１の符号化は、前記ＰＡＰＲ  ＭＭエンコーダに関連する第１のレベルのエラー訂正に対応し、そして前記第２の符号化は、チャネルエンコーダに関連する第２のレベルのエラー訂正に対応する、装置。
【請求項５３】
前記通知が、前記送信パケットが訂正不可能なエラーを有したことを示したことを決定するための手段と、なお前記通知は、前記第１のレベルのエラー訂正に関連づけられる、
前記バッファされたシンボルを使用してトランスミッタのフロントエンドにおける前記ＰＡＰＲ  ＭＭエンコーダにおいて前記パケットを再符号化するための手段と、
前記再符号化されたパケットを前記レシーバへと送信するための手段と、
をさらに備える請求項５２に記載の装置。
【請求項５４】
前記通知が、前記送信パケットが訂正不可能なエラーを有したことを示したことを決定するための手段と、なお前記通知は、前記第２のレベルのエラー訂正に関連づけられる、
トランスミッタのバックエンドにおける前記チャネルエンコーダにおいて前記パケットを再符号化するための手段と、
前記再符号化されたパケットを前記レシーバへと送信するための手段と、
をさらに備える請求項５２に記載の装置。
【請求項５５】
ＨＡＲＱ再送信を低減させるマルチレベルエラー訂正を実行するための装置であって、
第１のレシーバにおいて、第２のトランスミッタからパケット再送信を受信するための手段と、
前記第１のレシーバにおいて、前記パケットが、前記再送信および／または初期送信を使用して訂正不可能であるエラーを含むかどうかを決定するための手段と、
第１のトランスミッタから、否定応答（ＮＡＣＫ）を第２のレシーバへと送信するための手段と、
前記第２のトランスミッタにおいて、前記ＮＡＣＫに基づいて第１の符号化と第２の符号化との間で選択するための手段と、
を備え、前記第１の符号化は、ＮＡＣＫタイプ１に関連する第１のレベルのエラー訂正に対応し、そして前記第２の符号化は、ＮＡＣＫタイプ２に関連する第２のレベルのエラー訂正に対応する、装置。
【請求項５６】
ＮＡＣＫタイプ１が送信された場合に、
前記第２のトランスミッタの中に存在するＰＡＰＲ  ＭＭエンコーダにおいて前記パケットを再符号化するための手段と、
前記第２のトランスミッタから、後続の再送信を前記第１のレシーバへと送信するための手段と、
前記第１のレシーバの中に存在するＰＡＰＲ  ＭＭデコーダにおいて前記後続の再送信を復号するための手段と、
をさらに備える請求項５５に記載の装置。
【請求項５７】
前記ＰＡＰＲ  ＭＭエンコーダにおいてサイド情報を生成するための手段と、
前記後続の送信を伴う前記サイド情報を前記第１のレシーバへと送信するための手段と、
前記サイド情報を使用して前記ＰＡＰＲ  ＭＭデコーダにおいて前記後続の再送信を復号するための手段と、
をさらに備える請求項５６に記載の装置。
【請求項５８】
ＮＡＣＫタイプ２が送信された場合に、
前記第２のトランスミッタの中に存在するチャネルエンコーダにおいて前記パケットを再符号化するための手段と、
前記第２のトランスミッタから、後続の再送信を前記第１のレシーバへと送信するための手段と、
前記第１のレシーバの中に存在するチャネルデコーダにおいて前記後続の再送信を復号するための手段と、
をさらに備える請求項５５に記載の装置。
【請求項５９】
ＨＡＲＱ再送信を低減させるためのマルチレベルエラー訂正を調整するための装置であって、
レシーバのバックエンドから、訂正不可能なエラーを有する初期パケットを受信することに応じてローカルトランスミッタのバックエンドに対してＮＡＫタイプ２通知を提供するための手段と、
レシーバの前記バックエンドにおいて、前記ＮＡＣＫタイプ２通知に応じて新しいチャネル符号化を有する第１の再送信パケットを受信するための手段と、
前記レシーバのフロントエンドから、訂正不可能なエラーを有する前記第１の再送信パケットに応じてローカルトランスミッタのフロントエンドに対してＮＡＫタイプ１通知を提供するための手段と、
前記レシーバの前記フロントエンドにおいて、末端のトランスミッタの前記フロントエンドを起源とする新しいＰＡＰＲ符号化を有する後で再送信されたパケットを受信するための手段と、
を備える装置。
【請求項６０】
前記レシーバの前記バックエンドにおいて、訂正不可能なエラーを有する初期パケット送信を受信するための手段と、
前記レシーバの前記バックエンドから、前記レシーバの前記フロントエンドに対してＮＡＣＫタイプ２についての通知を提供するための手段と、
をさらに備える請求項５９に記載の装置。
【請求項６１】
前記レシーバの前記バックエンドから、前記レシーバの前記フロントエンドに対してＮＡＣＫタイプ１通知を提供するための手段、
をさらに備える請求項５９に記載の装置。
【請求項６２】
前記レシーバの前記フロントエンドにおいて、サイド情報が有効であることを決定するための手段と、
前記レシーバの前記フロントエンドから、前記ローカルトランスミッタの前記バックエンドに対してＡＣＫ通知を提供するための手段と、
をさらに備える請求項５９に記載の装置。
【請求項６３】
前記レシーバの前記フロントエンドにおいて、サイド情報が、有効でないことを決定するための手段と、
前記レシーバの前記フロントエンドにおいて、エラー訂正メトリックが超過されないことを決定するための手段と、
前記レシーバの前記フロントエンドから、前記ローカルトランスミッタの前記フロントエンドに対してＮＡＣＫタイプ１通知を提供するための手段と、
前記レシーバの前記フロントエンドにおいて、前記末端のトランスミッタの前記フロントエンドを起源とする新しいＰＡＰＲ符号化を有する別の後で再送信されたパケットを受信するための手段と、
をさらに備える請求項５９に記載の装置。
【請求項６４】
前記レシーバの前記フロントエンドにおいて、サイド情報が、有効でないことを決定するための手段と、
前記レシーバの前記フロントエンドにおいて、エラー訂正メトリックが超過されることを決定するための手段と、
前記レシーバの前記フロントエンドから、前記レシーバの前記バックエンドに対してカウンタ満了通知を提供するための手段と、
前記レシーバの前記バックエンドから、前記トランスミッタの前記バックエンドに対してＮＡＣＫタイプ２通知を提供するための手段と、
前記レシーバの前記バックエンドフロントエンドにおいて、前記末端のトランスミッタの前記バックエンドを起源とする新しいチャネル符号化を有する別の再送信パケットを受信するための手段と、
をさらに備える請求項５９に記載の装置。
【請求項６５】
ＨＡＲＱ再送信を低減させるためのマルチレベルエラー訂正を調整するための装置であって、
トランスミッタのバックエンドから、訂正不可能なエラーを有する初期パケット送信を提供するための手段と、
ローカルレシーバのバックエンドから、前記トランスミッタの前記バックエンドに向けられた再送信要求を受信するための手段と、
前記トランスミッタの前記バックエンドから、新しいチャネル符号化を有する後続のパケットを再送信するための手段と、
前記ローカルレシーバのフロントエンドから、前記トランスミッタの前記フロントエンドに向けられた再送信要求を受信するための手段と、
前記トランスミッタのフロントエンドから、新しいＰＡＰＲ符号化を有する後続のパケットを再送信するための手段と、
を備える装置。
【請求項６６】
前記ローカルレシーバの前記フロントエンドから、前記トランスミッタの前記フロントエンドに向けられた後続の再送信要求を受信するための手段と、
前記トランスミッタのフロントエンドから、新しいＰＡＰＲ符号化を有する別の後続のパケットを再送信するための手段と、
をさらに備える請求項６５に記載の装置。
【請求項６７】
前記ローカルレシーバの前記バックエンドから、前記トランスミッタの前記バックエンドに向けられた後続の再送信要求を受信するための手段と、
前記トランスミッタのバックエンドから、新しいチャネル符号化を有する別の後続のパケットを再送信するための手段と、
をさらに備える請求項６５に記載の装置。
【請求項６８】
通信リンク上で受信されるエラーを訂正するための論理を実施するコンピュータ可読媒体であって、前記論理は、
デコーダにおいてパケットを受信することと、なお前記パケットは、初期送信の第１の再送信である、
前記パケットが、前記初期送信および／または前記再送信を使用して訂正不可能であるエラーを含むかどうかを決定することと、
ピーク対平均電力比（ＰＡＰＲ）管理モジュールエンコーダを起源とする前記パケットの後続の再送信に基づいて第１のレベルのエラー訂正を実行することと、
前記破損されたパケットが、前記第１のエラー訂正によって訂正されることができるかどうかを決定することと、
前記第１のエラー訂正が、前記破損されたパケットを訂正することができない場合に、エンコーダを起源とする後続の再送信に基づいて第２のレベルのエラー訂正を実行することと、
を備える方法を実行するように構成されている、コンピュータ可読媒体。
【請求項６９】
前記ＰＡＰＲ管理モジュールエンコーダを起源とする前記後で再送信されたパケットに対応するサイド情報を決定することと、
前記サイド情報が、訂正不可能なエラーを含むかどうかを決定することと、
をさらに備える前記方法を実行するように構成された追加の論理を有する請求項６８に記載のコンピュータ可読媒体。
【請求項７０】
前記サイド情報が、訂正不可能なエラーを含まない場合に、別の第２のレベルのエラー訂正を実行することと、
前記サイド情報エラー訂正が、成功しなかった場合に、第１のレベルのエラー訂正メトリックを決定することと、
をさらに備える前記方法を実行するように構成された追加の論理を有する請求項６９に記載のコンピュータ可読媒体。
【請求項７１】
前記エラー訂正メトリックが、しきい値を超過するかどうかを決定すること、
をさらに備え、前記しきい値が、超過されなかった場合に、
前記第１のエラー訂正メトリックに関連するカウンタを増分することと、
前記ＰＡＰＲ管理モジュールエンコーダを起源とする別の後続の送信を使用して前記第１のレベルのエラー訂正を再び実行することと、
をさらに備える前記方法を実行するように構成された追加の論理を有する請求項７０に記載のコンピュータ可読媒体。
【発明の詳細な説明】
【技術分野】
【０００１】
本開示の実施形態は、一般に、デジタル通信のための、そしてより詳細には、ピーク対平均電力比管理技法(peak-to-average power ratio management techniques)に基づいたハイブリッド自動再送要求(Hybrid Automatic Repeat Request)（ＨＡＲＱ）再送信を低減させるための、エラー訂正の効率を改善することに関する。
【背景技術】
【０００２】
能力(capacity)、ワイヤレスデータサービスの速度および品質を改善するための要求は、ワイヤレス通信システムのスペクトル効率およびエラー訂正能力における進歩を推進している。
【０００３】
スペクトル効率における改善は、いくつかの密集した、周波数のオーバーラップした干渉していない直交サブキャリアを使用することができるマルチキャリア変調技法(multi-carrier modulation techniques)を使用して実現されることができる。そのような変調技法は、それらの効率と、有害なマルチパスの影響に対する高い耐性とのために成功裏に使用されてきている、直交周波数分割多重化(Orthogonal Frequency Division Multiplexing)（ＯＦＤＭ）と、直交周波数分割多元接続(Orthogonal Frequency Division Multiple Access)（ＯＦＤＭＡ）と、を含む。しかしながら、これらの変調技法は、送信される信号の平均電力よりもずっと大きいピーク電力レベルを有する、したがって高いピーク対平均電力比(Peak-to-Average-Power Ratio)（ＰＡＰＲ）を有する送信信号を生成することができる。大きなピークを有する信号は、エラーレートの増大をもたらす相互変調ひずみの量を増大させる可能性がある。ＰＡＰＲを最小にすることは、より高い平均電力が、固定されたピーク電力のために送信されることを可能にし、これは、レシーバにおける全体的な信号対雑音比を改善することができる。
【０００４】
マルチキャリア被変調信号のＰＡＰＲは、何らかの冗長度を通信システムへと導入する様々なアプローチを使用して管理されることができる。１つの知られているＰＡＰＲ管理技法は、選択的マッピング(Selective Mapping)（ＳＭ）と呼ばれ、この選択的マッピングは、すべてが同じ情報を表す大きな１組のデータベクトルを生成することを必要とする可能性がある。最低の結果として生ずるＰＡＰＲを有するデータベクトルは、送信のために選択されることができる。別のＰＡＰＲ管理アプローチは、部分系列伝送(Partial Transmit Sequences)（ＰＴＳ）と呼ばれ、この部分系列伝送は、類似した情報を搬送する１組の候補信号を生成するデータベクトルの位相を回転させる。最低のＰＡＰＲを提供する回転された位相の信号は、送信のために選択される。
【０００５】
上記で述べられるように、改善されたワイヤレス通信システムについての増大する要求はまた、エラー訂正技法の改善も推進している。送信エラーは、同時に送信されている競合する信号（特に、信号が望ましくないほど高いＰＡＰＲを有する場合の）、荒れ模様の天候、信号強度の影、電気的干渉、および／またはエアインターフェースに影響を及ぼす他の状態に起因する可能性がある。そのような状態は、１つまたは複数のパケットが、脱落され、または破損されることをもたらす可能性がある。脱落された、または破損されたパケットが起こるとき、追加のリソースは、送信エラーを訂正する冗長度情報を提供するために利用されることができる。追加の情報を提供する一方法は、ＨＡＲＱ処理を使用して冗長度を選択的に増大させることである。ＨＡＲＱ処理は、レシーバにおいて記憶される以前に受信された破損されたパケットと、再送信されたパケットを組み合わせることにより、エラー回復を可能にすることができる。
【０００６】
ＨＡＲＱ処理は、エラーを訂正することに有効であり得るが、それは、通信システムに望ましくないレイテンシ(latencies)を導入する可能性がある。ＨＡＲＱ再送信は、従来、冗長な符号化オペレーションを必要とし、この冗長な符号化オペレーションは、計算集約的であり、そしてそれ故に時間と電力とを消費する可能性がある。
【０００７】
したがって、エラー訂正オペレーション中のＨＡＲＱ再送信を低減させることにより、デジタル通信のためのエラー訂正の効率を改善することが望ましいであろう。
【発明の概要】
【０００８】
本開示の例示の実施形態は、ピーク電力管理技法を使用してＨＡＲＱ再送信を低減させるためのシステム、方法、および装置を対象としている。
【０００９】
一実施形態は、通信リンク上で受信されるエラーを訂正するための方法を含むことができる。本方法は、デコーダにおいてパケットを受信することと、なおパケットは、初期送信の第１の再送信とすることができる、パケットが、初期送信および／または再送信を使用して訂正不可能であるエラーを含むかどうかを決定することと、ピーク対平均電力比（ＰＡＰＲ）管理モジュールエンコーダを起源とするパケットの後続の再送信に基づいて第１のレベルのエラー訂正を実行することと、破損されたパケットが、第１のエラー訂正によって訂正されることができるかどうかを決定することと、第１のエラー訂正が、破損されたパケットを訂正することができない場合に、エンコーダを起源とする後続の再送信に基づいて第２のレベルのエラー訂正を実行することと、を含むことができる。
【００１０】
別の実施形態は、通信リンク上で送信されるエラーを訂正する方法を含むことができる。本方法は、パケットをレシーバへと送信することと、ピーク対平均電力比管理モジュール（ＰＡＰＲ  ＭＭ）エンコーダの中のパケットに対応する送信シンボルをバッファすることと、レシーバからパケットのステータスに関する通知を受信することと、受信された通知に基づいて第１の符号化と第２の符号化との間で選択することと、を含むことができ、ここで第１の符号化は、ＰＡＰＲ  ＭＭエンコーダに関連する第１のレベルのエラー訂正に対応し、そして第２の符号化は、チャネルエンコーダに関連する第２のレベルのエラー訂正に対応する。
【００１１】
さらに別の実施形態は、ＨＡＲＱ再送信を低減させるマルチレベルエラー訂正を実行するための方法を含むことができる。本方法は、第１のレシーバにおいて、第２のトランスミッタからのパケット再送信を受信することと、第１のレシーバにおいて、パケットが、再送信および／または初期送信を使用して訂正不可能であるエラーを含むかどうかを決定することと、第１のトランスミッタから、第２のレシーバへと否定応答(negative acknowledgement)（ＮＡＣＫ）を送信することと、第２のトランスミッタにおいて、ＮＡＣＫに基づいて第１の符号化と第２の符号化との間で選択することと、を含むことができ、ここで第１の符号化は、ＮＡＣＫタイプ１に関連する第１のレベルのエラー訂正に対応し、そして第２の符号化は、ＮＡＣＫタイプ２に関連する第２のレベルのエラー訂正に対応する。
【００１２】
別の実施形態は、ＨＡＲＱ再送信を低減させるためのマルチレベルエラー訂正を実行するレシーバを含むことができる。レシーバは、末端の(distal)トランスミッタのフロントエンドを起源とする再送信を利用して第１のレベルのエラー訂正を実行するように構成されたピーク対平均電力比管理モジュール（ＰＡＰＲ  ＭＭ）デコーダと、ＰＡＰＲ  ＭＭデコーダに接続されたシンボルデマッピングモジュール(symbol demapping module)と、シンボルデマッピングモジュールに接続されたデインターリーバ(deinterleaver)と、デインターリーバとＰＡＰＲ  ＭＭデコーダとに接続されたデコーダと、を含むことができ、ここでデコーダは、末端のトランスミッタのバックエンドを起源とする再送信を利用して第２のレベルのエラー訂正を実行するように構成されていることができる。
【００１３】
別の実施形態は、ＨＡＲＱ再送信を低減させるためのマルチレベルエラー訂正を実行することができるトランスミッタを含むことができる。トランスミッタは、第１のレベルのエラー訂正を適応させるフロントエンド再送信を提供することができるピーク対平均電力比管理モジュール（ＰＡＰＲ  ＭＭ）エンコーダと、ＰＡＰＲ  ＭＭエンコーダに接続され、送信のためのデータを変調するための少なくとも１つのチャネルと、を含むことができ、そこで、少なくとも１つのチャネルは、チャネルエンコーダと、なおチャネルエンコーダは、第２のレベルのエラー訂正を適応させるバックエンド再送信を提供するように構成されていることができる、チャネルエンコーダに接続されることができるインターリーバと、インターリーバに接続されることができるシンボルマッピングモジュールと、をさらに含むことができる。
【００１４】
さらに別の実施形態は、ＨＡＲＱ再送信を低減させるためのマルチレベルエラー訂正を調整するための方法を含むことができる。本方法は、レシーバのバックエンドから、訂正不可能なエラーを有する初期パケットを受信することに応じてローカルトランスミッタのバックエンドへとＮＡＫタイプ２通知を提供することと、レシーバのバックエンドにおいて、ＮＡＣＫタイプ２通知に応じて新しいチャネル符号化を有する第１の再送信パケットを受信することと、レシーバのフロントエンドから、訂正不可能なエラーを有する第１の再送信パケットに応じてローカルトランスミッタのフロントエンドへとＮＡＫタイプ１通知を提供することと、レシーバのフロントエンドにおいて、末端のトランスミッタのフロントエンドを起源とする新しいＰＡＰＲ符号化を有する後続の再送信パケットを受信することと、を含むことができる。
【００１５】
別の実施形態は、ＨＡＲＱ再送信を低減させるためのマルチレベルエラー訂正を調整するための方法を含むことができる。本方法は、トランスミッタのバックエンドから、訂正不可能なエラーを有する初期パケット送信を提供することと、ローカルレシーバのバックエンドから、トランスミッタのバックエンドに向けられた再送信要求を受信することと、トランスミッタのバックエンドから、新しいチャネル符号化を有する後続のパケットを再送信することと、ローカルレシーバのフロントエンドから、トランスミッタのフロントエンドに向けられた再送信要求を受信することと、トランスミッタのフロントエンドから、新しいＰＡＰＲ符号化を有する後続のパケットを再送信することと、を含むことができる。
【００１６】
さらに別の実施形態は、通信リンク上で受信されるエラーを訂正するための装置を含むことができる。本装置は、デコーダにおいてパケットを受信するための手段と、なおパケットは、初期送信の第１の再送信である、パケットが、初期送信および／または再送信を使用して訂正不可能であるエラーを含むかどうかを決定するための手段と、ピーク対平均電力比（ＰＡＰＲ）管理モジュールエンコーダを起源とするパケットの後続の再送信に基づいて第１のレベルのエラー訂正を実行するための手段と、破損されたパケットが、第１のエラー訂正によって訂正されることができるかどうかを決定するための手段と、第１のエラー訂正が、破損されたパケットを訂正することができない場合に、エンコーダを起源とする後続の再送信に基づいて第２のレベルのエラー訂正を実行するための手段と、を含むことができる。
【００１７】
別の実施形態は、通信リンク上で送信されるエラーを訂正する装置を含むことができる。本装置は、レシーバへとパケットを送信するための手段と、ピーク対平均電力比管理モジュール（ＰＡＰＲ  ＭＭ）エンコーダに、パケットに対応する送信シンボルをバッファするための手段と、レシーバからパケットのステータスに関する通知を受信するための手段と、受信された通知に基づいて第１の符号化と第２の符号化との間で選択するための手段と、を含むことができ、ここで第１の符号化は、ＰＡＰＲ  ＭＭエンコーダに関連する第１のレベルのエラー訂正に対応することができ、そして第２の符号化は、チャネルエンコーダに関連する第２のレベルのエラー訂正に対応することができる。
【００１８】
さらに別の実施形態は、ＨＡＲＱ再送信を低減させるマルチレベルエラー訂正を実行するための装置を含むことができる。本装置は、第１のレシーバにおいて、第２のトランスミッタからのパケット再送信を受信するための手段と、第１のレシーバにおいて、パケットが、再送信および／または初期送信を使用して訂正不可能であるエラーを含むかどうかを決定するための手段と、第１のトランスミッタから、第２のレシーバへと否定応答（ＮＡＣＫ）を送信するための手段と、第２のトランスミッタにおいて、ＮＡＣＫに基づいて第１の符号化と第２の符号化との間で選択するための手段と、を含むことができ、ここで第１の符号化は、ＮＡＣＫタイプ１に関連する第１のレベルのエラー訂正に対応することができ、そして第２の符号化は、ＮＡＣＫタイプ２に関連する第２のレベルのエラー訂正に対応することができる。
【００１９】
別の実施形態は、ＨＡＲＱ再送信を低減させるためのマルチレベルエラー訂正を調整するための装置を含むことができる。本装置は、レシーバのバックエンドから、訂正不可能なエラーを有する初期パケットを受信することに応じてローカルトランスミッタのバックエンドへとＮＡＫタイプ２通知を提供するための手段と、レシーバのバックエンドにおいてＮＡＣＫタイプ２通知に応じて新しいチャネル符号化を有する第１の再送信パケットを受信するための手段と、レシーバのフロントエンドから、訂正不可能なエラーを有する第１の再送信パケットに応じてローカルトランスミッタのフロントエンドへとＮＡＫタイプ１通知を提供するための手段と、レシーバのフロントエンドにおいて、末端のトランスミッタのフロントエンドを起源とする新しいＰＡＰＲ符号化を有する後続の再送信パケットを受信するための手段と、を含むことができる。
【００２０】
別の実施形態は、ＨＡＲＱ再送信を低減させるためのマルチレベルエラー訂正を調整するための装置を含むことができる。本装置は、トランスミッタのバックエンドから、訂正不可能なエラーを有する初期パケット送信を提供するための手段と、ローカルレシーバのバックエンドから、トランスミッタのバックエンドに向けられた再送信要求を受信するための手段と、トランスミッタのバックエンドから新しいチャネル符号化を有する後続のパケットを再送信するための手段と、ローカルレシーバのフロントエンドからトランスミッタのフロントエンドに向けられた再送信要求を受信するための手段と、トランスミッタのフロントエンドから、新しいＰＡＰＲ符号化を有する後続のパケットを再送信するための手段と、を含むことができる。
【００２１】
別の実施形態は、通信リンク上で受信されるエラーを訂正するための論理を実施するコンピュータ可読媒体を含むことができ、なおその論理は、デコーダにおいてパケットを受信することと、なおパケットは、初期送信の第１の再送信である、パケットが、初期送信および／または再送信を使用して訂正不可能であるエラーを含むかどうかを決定することと、ピーク対平均電力比（ＰＡＰＲ）管理モジュールエンコーダを起源とするパケットの後続の再送信に基づいて第１のレベルのエラー訂正を実行することと、破損されたパケットが、第１のエラー訂正によって訂正されることができるかどうかを決定することと、第１のエラー訂正が、破損されたパケットを訂正することができない場合に、エンコーダを起源とする後続の再送信に基づいて第２のレベルのエラー訂正を実行することと、を含む方法を実行するように構成されている。
【図面の簡単な説明】
【００２２】
【図１】図１は、例示の通信システムネットワーク内のトップレベルの信号の対話を示す図を示している。
【図２】図２は、基地局とモバイルデバイスとの中の例示の従来のトランスミッタコンポーネントとレシーバコンポーネントとを示すブロック図を示している。
【図３】図３は、２レベルのエラー訂正の能力がある例示のマルチキャリアの変調器と復調器とのブロック図を示している。
【図４Ａ】図４Ａは、例示の復調器に関連づけられることができる例示のプロセスのフローチャートを示している。
【図４Ｂ】図４Ｂは、例示の復調器に関連づけられることができる例示のプロセスのフローチャートを示している。
【図５】図５は、例示の変調器に関連づけられることができる例示のプロセスのフローチャートを示している。
【図６Ａ】図６Ａは、図４および５に説明される例示のプロセスに関連する信号フロー図(signal flow diagram)を示している。
【図６Ｂ】図６Ｂは、図４および５に説明される例示のプロセスに関連する信号フロー図を示している。
【図６Ｃ】図６Ｃは、図４および５に説明される例示のプロセスに関連する信号フロー図を示している。
【図７Ａ】図７Ａは、モバイルデバイスの中のレシーバに関連する、例示のピーク対平均電力低減マネージャモジュール(peak-to-average power reduction manager module)のデコーダのブロック図を示している。
【図７Ｂ】図７Ｂは、モバイルデバイスの中のトランスミッタに関連する、例示のピーク対平均電力低減マネージャモジュールのエンコーダのブロック図を示している。
【図８Ａ】図８Ａは、基地局の中のレシーバに関連する、例示のピーク対平均電力低減マネージャモジュールのデコーダのブロック図を示している。
【図８Ｂ】図８Ｂは、基地局の中のトランスミッタに関連する、例示のピーク対平均電力低減マネージャモジュールのエンコーダのブロック図を示している。
【図９】図９は、例示のレシーバの中で起こることができる否定応答（ＮＡＣＫ）検出についての例示のプロセスのフローチャートを示している。
【図１０】図１０は、例示のモバイルデバイスの様々なコンポーネントを示すトップレベルのブロック図を示している。
【図１１】図１１は、例示の基地局の様々なコンポーネントを示すトップレベルのブロック図を示している。
【発明を実施するための形態】
【００２３】
添付図面は、本発明の実施形態の説明において助けとなるように提示され、そして実施形態の例示のためだけに提供され、そしてそれらの限定ではない。
【００２４】
本発明の態様が、以下の説明において開示され、そして関連した図面は、本発明の特定の実施形態に向けられている。代替実施形態が、本発明の範囲を逸脱することなく工夫されることができる。さらに、本発明のよく知られている要素は、詳細に説明されないことになり、あるいは本発明の関連のある詳細をあいまいにしないようにするために省略されることになる。
【００２５】
「例示の(exemplary)」という言葉は、ここにおいて、「１つの例、インスタンス、または例証としての役割を果たすこと」を意味するために使用される。ここにおいて、「例示の」として説明される任意の実施形態は、必ずしも他の実施形態よりも好ましい、または有利であるとして解釈されるべきであるとは限らない。同様に、「本発明の実施形態」という用語は、本発明のすべての実施形態が、論じられる特徴、利点、またはオペレーションのモードを含むことを必要としない。
【００２６】
ここにおいて使用される専門用語は、特定の実施形態だけを説明する目的のためにすぎず、本発明の実施形態について限定するようには意図されない。ここにおいて使用されるように、単数形態「１つの(a)」、「１つの(an)」、および「その(the)」は、文脈が、明らかにそうでないことを示さない限り、同様に複数形態を含むように意図される。用語「備える(comprises)」、「備えている(comprising)」、「含む(includes)」、および／または「含んでいる(including)」は、ここにおいて使用されるときに、述べられた特徴、整数、ステップ、オペレーション、要素、および／またはコンポーネントの存在を指定するが、１つまたは複数の他の特徴、整数、ステップ、オペレーション、要素、コンポーネント、および／またはそれらのグループ、の存在または追加を除外するものでないことが、さらに理解されるであろう。
【００２７】
さらに、多数の実施形態は、例えば、コンピューティングデバイスの要素によって実行されるアクションのシーケンスの観点から説明される。ここにおいて説明される様々なアクションは、特定の回路（例えば、特定用途向け集積回路(application specific integrated circuits)（ＡＳＩＣ））により、１つまたは複数のプロセッサによって実行されるプログラム命令により、あるいはそれら両方の組合せにより、実行されることができることが、認識されるであろう。さらに、ここにおいて説明されるアクションのこれらのシーケンスは、実行のすぐ後に、関連するプロセッサに、ここにおいて説明される機能を実行するようにさせることになる対応する１組のコンピュータ命令をそこに記憶している任意の形態のコンピュータ可読ストレージ媒体内で完全に実施されるように考えられることができる。したがって、本発明の様々な態様は、いくつかの異なる形態で実施されることができ、これらの形態のすべては、特許請求の範囲の主題の範囲内にあるようにあるように企図されている。さらに、ここにおいて説明される実施形態のおのおのでは、そのような任意の実施形態の対応する形態は、例えば、説明されるアクションを実行する「ように構成された論理」としてここにおいて説明されることができる。
【００２８】
図１は、説明についての実施形態と整合した例示の通信システムネットワーク１００の中のコンポーネントの間のトップレベルの対話を示している。ネットワーク１００は、基地局トランシーバ１０５と、モバイルデバイス１１０と、を含むことができる。様々な他の要素が、ネットワーク１００内に存在することができるが、簡単にするために示されてはいない。基地局１０５は、様々なエアインターフェースまたはチャネルを通してモバイルデバイス１１０と通信していることができる。ダウンリンク共用チャネル１１５は、基地局１０５と、モバイルデバイス１１０との間でトラフィックデータパケットを転送することができる主要な無線ベアラとして使用されることができる。ダウンリンク共用チャネル１１５のオペレーションをサポートすることは、追加の制御チャネル１２０および１２５を含むことができる。共用制御チャネル１２０は、ＨＡＲＱに関連したパラメータを含むことができるモバイルデバイス１１０に対する信号情報と、パケットが、新しい送信であるか、または再送信であるかに関する情報とを供給することができる。物理制御チャネル１２５は、チャネル品質インジケータ(Channel Quality Indicator)（ＣＱＩ）を含むことができるフィードバック情報を基地局１０５に対して供給することができる。物理チャネル１２５は、モバイルデバイス１１０によって生成される肯定応答（ＡＣＫ）／否定応答（ＮＡＣＫ）フィードバックを提供することもできる（これは、例えば、モバイルデバイス１１０内の巡回冗長検査(Cyclic Redundancy Check)（ＣＲＣ）に基づいたものとすることができる）。
【００２９】
基地局１０５は、従来のオーバーザエア技法(over the air techniques)により、モバイルデバイス１１０へとワイヤレスにデータメッセージまたは他の情報を送信することができる。例えば、モバイルデバイス１１０と、基地局１０５との間のワイヤレス信号は、それだけには限定されないが、ＣＤＭＡ（符号分割多元接続(code division multiple access)）システムと、ＭＣ−ＣＤＭＡ（マルチキャリア符号分割アクセス(multi-carrier code division access)）システムと、ＴＤＭＡ（時分割多元接続(time division multiple access)）システムと、ＦＤＭＡ（周波数分割多重アクセス(frequency division multiplexed access)）システムと、ＯＦＤＭ（直交周波数分割多重化(orthogonal frequency division multiplexing)）システムと、ＧＳＭ（登録商標）や、通信またはデータネットワークにおいて使用される他の同様なワイヤレスプロトコルなどのハイブリッド符号化技術を使用した任意のシステムと、を含めていくつかの異なる技術のうちの任意のものに基づいたものとすることができる。
【００３０】
ＨＡＲＱ処理は、破損されたパケットを切り捨てるのではなくて、それらをモバイル１１０に記憶することにより、エラーからの信頼できる回復を可能とすることができる。破損されたパケットが受信されるときに、モバイルデバイス１１０は、それをオンボードバッファに記憶し、そして正常な復号化の確率を増大させるために１つまたは複数の後続の再送信とその破損されたパケットを組み合わせることができる。たとえ再送信パケット（単数または複数）がエラーを含むとしても、良好なパケットが、以前に受信された破損された送信の組合せから導き出されることができる。このプロセスは、ソフトコンバイニング(soft combining)と称されることができ、そしてチェースコンバイニング(Chase Combining)（ＣＣ）および／または増分冗長度(Incremental Redundancy)（ＩＲ）を含むことができる。ＣＣは、基本的なコンバイニングアプローチとすることができ、そこで基地局１０５は、元のパケットの符号化シンボルの正確に同じ組を単に再送信していることができる。ＩＲを用いて、異なる冗長情報は、異なる方法でパケットを記録することにより再送信中に送信されることができ、したがって符号化利得を増分的に増大させる。ＨＡＲＱ処理の速度を改善するために、機能は、モバイルデバイス１１０の物理／媒体アクセス制御（Ｌ１）レイヤにおいて直接にインプリメントされることができる。
【００３１】
図に示されるネットワーク１００は、単なる例示にすぎず、そしてオーバーザエアで、かつ／またはコンポーネントの間の固定ケーブルおよび／またはワイヤ通信経路を経由して、通信を可能にする任意のシステムを含むことができる。例えば、例示のオーバーザエアインターフェースは、ＷｉＦＩ、ＷｉＭＡＸ、および／またはＵＭＢ（ウルトラモバイルブロードバンド(ultra mobile broadband)）を含むことができる。モバイルデバイス１１０と、基地局１０５とは、電話、セルラ電話、ワイヤレスに接続されたコンピュータ、ＰＤＡ（携帯型個人情報端末(personal digital assistant)）、ページャ、ナビゲーションデバイス、音楽またはビデオのコンテンツダウンロードユニット、ワイヤレスゲーミングデバイス、在庫制御ユニット、またはエアインターフェースを経由してワイヤレスに通信する他の同様なタイプのデバイス、のうちの１つまたは複数を含めて、多数の異なるタイプの有線および／またはワイヤレスのデバイスの形態で実施されることができる。セルラまたは他のワイヤレス電気通信サービスは、データリンクまたは他のネットワークリンクを通してキャリアネットワークと通信することができる。
【００３２】
図２は、基地局１０５と、移動局１１０との内部のいくつかの従来のトランスミッタコンポーネントとレシーバコンポーネントとを示すブロック図である。ここにおいて使用されるような用語「送信エンティティ」（または「トランスミッタ」）と、「受信エンティティ」（または「レシーバ」）は、特定のパケット、例えば破損されたパケットに対する通信の局／デバイスの関係を意味する。送信エンティティは、パケットを送信した通信の局またはデバイスである。受信エンティティは、パケットを受信する、あるいは破損されたパケットの場合には、パケットを受信するように意図される通信の局またはデバイスである。双方向通信に従事するデバイスは、いくつかのパケットのための送信エンティティであり、そして他のパケットのための受信エンティティである。送信エンティティは、受信エンティティと同様に、受信回路と送信回路との両方を有する。送信エンティティと、受信エンティティとは、例えば、ワイヤレス通信局（例えば、移動局）とすることができ、あるいはケーブルまたはワイヤを経由して通信する固定局とすることができる。
【００３３】
図２に示されるように、基地局１０５と、移動局１１０との両方は、トランスミッタと、レシーバと、を含む。図２について説明される詳細のレベルでは、基地局１０５の中のトランスミッタ２１５とレシーバ２２０との両方についての変調器と復調器とは、モバイルデバイス１１０の中に含まれるトランスミッタ２０５とレシーバ２１０との中のそれぞれ変調器と復調器とに類似したコンポーネントを含み、そして関連した方法で機能する。簡潔にするために、モバイルデバイス１１０の変調器と復調器との詳細だけが、以下で説明される。
【００３４】
モバイルデバイス１１０のレシーバ２０５の内部の復調器は、シンボルデマッピングモジュール２２５と、デインターリーバ２３０と、デコーダ２３５と、を含むことができる。トランスミッタ２１０は、シンボルマッピングモジュール２４０と、インターリーバ２４５と、エンコーダ２５０と、を含むことができる変調器を含んでいる。
【００３５】
パケットは、基地局１０５のトランスミッタ２１５によって送信されることができ、そしてレシーバ２０５のＲＦと、デジタル化コンポーネント（図示されず）とにより最初に受信され、そして処理される。次いで、パケットは、被変調信号の着信する同相（Ｉ）成分と、直交（Ｑ）成分とを処理するために、シンボルデマッピングモジュール２２５によってシンボルデマッピングされる(symbol demapped)ことができ、これらの成分は、シンボルを表し、そして被変調シンボルを２進値（ビット）へと変換する。次いで、パケットは、トランスミッタ２１５において実行されることができるインターリービングオペレーション(interleaving operation)を逆にするために、タイムドメインおよび／または周波数ドメインのいずれかにおいて、信号をその適切な順序に配列するデインターリーバモジュール２３０へと渡されることができる。次いで、パケットは、エラーの検出および訂正の処理のために、デコーダ２３５へと渡されることができる。デコーダ２３５は、例えば、ターボデコーダ(turbo-decoder)または低密度パリティ検査(low density parity check)（ＬＤＰＣ）デコーダとすることができ、これらのデコーダは、パケットの元の送信を用いて送信される冗長情報に基づいて非常に効率的なエラー訂正を提供することができる。元の送信に含まれるデータによって訂正されることができないエラーが、デコーダ２３５によって検出される場合、信号２５０を経由してＨＡＲＱ再送信を要求する決定が、デコーダ２３５によって行われることができる。ひとたび要求信号２５０がトランスミッタ２１０へと供給された後に、ＮＡＣＫ応答が、トランスミッタ２１０によって物理制御チャネル１２５上で転送されることができる。ＮＡＣＫは、エンコーダ２５０と、インターリーバ２４５と、シンボルマッピングモジュール２４０とを通過することによって変調される１つまたは複数のパケットを含むことができる。ひとたびＮＡＣＫが基地局レシーバ２２０によって受信された後に、基地局は、そのトランスミッタ２１５を経由してＨＡＲＱ再送信を送信する。ひとたびＨＡＲＱ再送信がデコーダ２３５によって受信された後に、それは、以前に検出された破損されたパケットを訂正するために、元のパケットと一緒に再送信パケットを使用することができる。
【００３６】
従来のレシーバ２０５は、デコーダ２０５において（あるいは復調器の「バックエンド」において）エラー訂正の決定を行うことができるので、オペレーションが、シンボルデマッピングモジュール２２５と、デインターリーバ２３０とによって実行された後に、かなりの量のレイテンシーが、ＨＡＲＱ再送信と出合われることができる。このレイテンシーの大部分は、デインターリーバ２３０によって導入されることができる。
【００３７】
後続の図の説明において以下で説明されるように、本発明の実施形態は、シンボルデマッピングモジュール２２５とデインターリーバ２３０との前方に（または、ここにおいて言及されるように、復調器の「フロントエンド」において）別のレベルのエラー検出／訂正を提供することによりこのレイテンシーを回避することができる。
【００３８】
図３は、２レベルのエラー訂正を行うことができるマルチキャリアの変調器３２５と復調器３２０とのブロック図を示している。復調器３２０と、変調器３２５とは、モバイルデバイス３００に関連づけられることができる。復調器３２０は、モバイルデバイスのレシーバ３０７の中に含まれることができる。変調器３２５は、モバイルデバイス３００のトランスミッタ３０９の中に含まれることができる。基地局３０５に関連づけられることができるトランスミッタ３１０と、レシーバ３１５とがまた、示されている。
【００３９】
ここにおいて使用されるように、特定のレシーバに関するオペレーションを説明するときに、そのレシーバに近接したトランスミッタは、「ローカル」トランスミッタと呼ばれることができる。特定のレシーバの反対にあるトランスミッタは、「末端の(distal)」トランスミッタと呼ばれることができる。例えば、レシーバ３０７に関して、ローカルトランスミッタは、トランスミッタ３０９であり、そして末端のトランスミッタは、エアインターフェースの反対側に存在するトランスミッタ３１０である。同じ命名規則が、特定のトランスミッタを論じるときに使用されることができる。例えば、トランスミッタ３１０に関して、ローカルレシーバは、レシーバ３１５であり、そして末端のレシーバは、エアインターフェースの反対側に存在するレシーバ３０７である。
【００４０】
図３に示される詳細のレベルにおいて、トランスミッタ３１０と、レシーバ３１５とは、それぞれトランスミッタ３０９と、レシーバ３０７との中に示されるのと類似したブロックレベルコンポーネントを含むことができ、それでそれらの中の詳細は、説明を簡単にするために以下では省略されている。
【００４１】
さらに、図３に示される実施形態のレシーバとトランスミッタとの説明は、モバイルデバイス３００の場合について述べられるが、類似したコンポーネントと、オペレーションとは、基地局３０５のトランスミッタとレシーバとの中に反映されることができる。モバイルデバイスのトランスミッタ３０９およびレシーバ３０７と、基地局のトランスミッタ３１０およびレシーバ３１５とのコンポーネントの間の例示の違いは、実施形態のより詳細な態様が、図６および７の説明の中で提示されるときに論じられる。
【００４２】
さらに図３を参照すると、復調器３２０は、ピーク対平均電力低減管理モジュール（ＰＡＰＲ  ＭＭ）３３０と、シンボルデマッピングモジュール３３５と、デインターリーバ３４０と、デコーダ３４５と、を含むことができる。
【００４３】
本開示の様々な実施形態に従って、復調器３２０は、２レベルのエラーの検出／訂正を実行することができる。第１のレベルのエラーの検出／訂正は、実行するためにあまり計算集約的ではなく、そしてチャネル品質インジケータ（ＣＱＩ）が低いときに利用されることができる。さらに、第１のレベルのエラーの検出／訂正は、レシーバの「フロントエンド」において実行されることができる。第２のレベルのエラーの検出／訂正は、より強力であり、したがってより計算集約的とすることができる。しかしながら、第２のレベルのエラー訂正は、ＣＱＩが低いときに、失敗する可能性が高いこともある。第２のレベルのエラーの検出／訂正は、レシーバの「バックエンド」において実行されることができる。
【００４４】
後に、パケットエラーは、上述の第２のレベルのエラーの検出／訂正を伴う従来の技法を使用して最初に検出されている。同じパケットを伴う後続のエラー（単数または複数）は、さらに、第１のレベルのエラーの検出／訂正を利用して検出されることができ、そしてそれ故に第２のレベルのエラー訂正をバイパスする。この発生中に、ＣＱＩが低いことが安全に仮定されることができ、そして第２のレベルのエラー訂正を再び反復することは、時間と電力との両方が節約されることができることに成功する見込みはない。復調器３２０の詳細は、以下で提供され、そして変調器３２５の詳細は、その後に提供される。
【００４５】
基地局３０５のトランスミッタ３１０によって送信されるパケットは、最初にレシーバ３０７のＲＦおよびデジタル化の部分（図示されず）によって受信されることができ、そして次いでＰＡＰＲ  ＭＭ３３０へと送信されることができる。ＰＡＰＲ  ＭＭ３３０は、復調器３２０の「フロントエンド」の中に含まれることができ、そして最初にＰＡＰＲ復号化を実行することができる。いくつかの実施形態においては、ＰＡＰＲ  ＭＭ３３０は、復号化における助けをする追加のサイド情報を受信することができ、そしてその場合には、ＰＡＰＲ  ＭＭは、受信されたサイド情報の上で第１のレベルのエラーの検出／訂正を実行することができる。いずれにしても、ひとたびエラー検出がサイド情報の上で実行された後に、サイド情報の上の訂正不可能なエラーの数は、以下でさらに詳細に説明されることになるように、いつ後続のレベルのエラー訂正を実行すべきかを決定するために、しきい値と一緒に使用されることができる。
【００４６】
サイド情報に関連したエラーの数が、上記で説明されるようなしきい値を超過しない場合、ＰＡＰＲ復号化は、ピーク電力を低減させるために実行されることができる。これを遂行するための技法は、選択的マッピング(Selective Mapping)（ＳＬＭ）、ブラインド選択的マッピング(Blind Selective Mapping)（サイド情報が送信されないが、パケットデータから導き出されるときに使用される）、部分的送信シーケンス(Partial Transmit Sequences)、および／またはピーク対平均電力比を最小にするために使用される他の従来の技法、を含むことができる。
【００４７】
ＳＬＭは、同じ情報が、異なる形式で表されることができる場合の技法である。異なる形式のおのおのは、異なるピーク対平均電力比（ＰＡＰＲ）を有するシーケンスとすることができる。最低のＰＡＰＲを有するシーケンスは、ＰＡＰＲ  ＭＭエンコーダ３７０によって送信のために選択されることができる。送信されることができる複数のシーケンスが存在するので、ＰＡＰＲ  ＭＭエンコーダ３７０は、選択されたシーケンスを識別する追加の情報をＰＡＰＲ  ＭＭデコーダ３３０へと供給することができる。追加の情報は、サイド情報として名付けられるものの中で表されることができる。例えば、同じ情報を表すことができる１０個の異なるシーケンスが存在し、そしてシーケンス９が、それがＰＡＰＲを最小にするので選択される場合、そのときにはサイド情報は、番号９を含むことができ、そしてこの情報は、レシーバへと送信されることができる。ブラインドＳＬＭとして知られている他の技法においては、サイド情報は、データと一緒に送信されないが、例えば、最大尤度推定器を使用してデータそれ自体から推定されることができる。いずれにしても、正しいサイド情報を得ることは、ＰＡＰＲ  ＭＭデコーダ３３０の中で送信されたパケットを適切に復号するために重要とすることができる。したがって、サイド情報は、例えば、シンプルブロック符号(simple block codes)、畳み込み符号などのエラー制御符号の利用を通して保護されることができる。
【００４８】
さらに図３を参照すると、ＰＡＰＲ復号化の後に、パケットは、シンボルデマッピングモジュール３３５上へと、そして次いでデインターリーバ３４０へと渡されることができる。シンボルデマッピングモジュール３３５は、シンボルを表す、被変調信号の着信するＩ成分とＱ成分とを処理し、そして次いで被変調シンボルをビットへと変換することができる。デインターリーバ３４０は、トランスミッタ３１０の中の変調器によって実行されることができるインターリービングオペレーションを逆にするために、信号ビットをそれらの適切な順序へと（タイムドメインおよび／または周波数ドメインのいずれかの中で）配列することができる。
【００４９】
次いで、受信パケットは、第２のレベルのエラーの検出および訂正のためにデコーダ３４５へと送信されることができ、これは、例えば、ターボ復号化や低密度パリティ検査復号化（ＬＰＤＣ）などのアルゴリズムを含むことができる。第２のレベルのエラー検出は、処理チェーンの中でそれが近いと仮定すると、レシーバの「バックエンド」において起こるものと言及されることができる。第２のレベルにおいて、エラーの検出／訂正オペレーションは、パケットそれ自体からデマッピングされる受信ビット上で実行されることができ、そして上記で説明される第１のレベルのエラーの検出／訂正において行われるようにサイド情報上では実行されることができない。デコーダ３４５が、パケットの中でエラーを検出する場合、デコーダ３４５は、受信パケットに関連する冗長情報だけを使用してそれを訂正しようと試みることができる。送信されたパケットの中にエラーが存在しなかった場合、またはデコーダ３４５によって実行される第２のレベルのエラー訂正が、成功する場合、訂正されたパケットは、さらなる使用のために、モバイルデバイス３００の後続のステージへと渡される。
【００５０】
初めて再送信されるパケットが訂正不可能なエラーを含み（これは、低いＣＱＩが存在するときに起こり得る）、そして第２のレベルのエラー訂正が成功しないとき、復調器３２０は、第１のレベルのエラー訂正を開始することができる。ここで、デコーダ３４５は、モバイルデバイス３００の変調器３２５に、基地局３０５のレシーバ３１５へと特定のタイプのＮＡＣＫを送信するように指示することができる。このタイプのＮＡＣＫは、レシーバ３０７のフロントエンドを起源とすることができるので、それは、ＮＡＣＫタイプ１と称される。ＮＡＣＫタイプ１に応じて、基地局３０５のトランスミッタ３１０は、適切な任意のサイド情報と一緒に、異なるＰＡＰＲ符号化を有するシンボルを含むことができるパケットの再送信を送信することができる。この再送信は、トランスミッタ３１０の「フロントエンド」の中に存在するＰＡＰＲ  ＭＭエンコーダに由来する（図示されないが、ＰＡＰＲ  ＭＭエンコーダは、以下でさらに詳細にモバイルデバイスの変調器３２５の場合について説明される）。この再送信パケットは、サイド情報についてのエラー訂正情報を含むこともできる。サイド情報についてのエラー訂正情報は、例えば、畳み込みエラー訂正についてのＥＣＣデータを含むことができる。ＰＡＰＲ  ＭＭエンコーダによって符号化されるシンボルは、元と同じ情報を含むが、以前の送信とは異なるように形成される。再送信は、モバイルデバイス３００の復調器３２０の中のＰＡＰＲ  ＭＭデコーダ３３０によって受信され、このデコーダは、パケットを復号することができる。ＰＡＰＲ  ＭＭデコーダ３３０は、パケットが適切に復号されることを保証するように、サイド情報上のエラー訂正を実行することもできる。次いで、ＰＡＰＲ復号されたパケットは、上記に説明されるように復調器の中の後続のブロックへと送信されることができる。
【００５１】
第２のレベルのエラー訂正は、ＮＡＣＫタイプ２を受信することに応じてパケットを再送信するＨＡＲＱ処理を必要とする。このＨＡＲＱ送信は、トランスミッタ３２５（以下でさらに詳細に説明される）の中のエンコーダを利用することができ、そしてそれ故に、それは、トランスミッタのバックエンドを（チャネルエンコーダ３５５において）「起源とする」。使用されているＨＡＲＱ処理のタイプに応じて、再送信の中の情報は、変化することができる。しかしながら、ほとんどのＨＡＲＱ処理は、それを訂正するために破損されたパケットを用いて処理されることができる何らかの形式の冗長情報を送信する。ＨＡＲＱ処理は、エラーを訂正することに有効であるが、それは、再送信パケットが変調器と復調器との両方を再び少なくとも通過する必要があるので、時間がかかるという不利な点を有する。
【００５２】
第１のレベルの検出／訂正は、低いＣＱＩを有する破損されたパケットが、復調器の処理チェーンの残りから効果的にフィルタで取り除かれるので、復調器の効率を改善する。それらの低い信号品質のために、破損されたパケットは、デコーダ３４５において第２のレベルの訂正を使用して訂正されていない可能性がある。したがって、第１のレベルの訂正／検出は、シンボルマッピングモジュール３３５と、デインターリーバ３４０（これは、特に時間がかかる可能性がある）と、最終的にデコーダ３４５と、を通して破損されたパケットを不必要に処理することを回避する。エラーの検出／訂正に対するこの段階的アプローチは、通信システムの時間と、電力（特にモバイルデバイスのために有用）と、計算リソースと、を節約することができる。
【００５３】
さらに図３を参照すると、モバイルデバイス３００のトランスミッタ３０９は、マルチキャリア変調器３２５を含むことができ、このマルチキャリア変調器は、複数のチャネル３５０＿１ないし３５０＿ｎを含む。チャネルの数「ｎ」は、通信システムの望ましい能力の関数とすることができ、そして実用的な限界内の任意の数とすることができる。様々な実施形態において、チャネルの数は、１２８から２０４８、あるいはそれより高いものとすることができる。変調器３２５は、ＣＤＭＡ、ＯＦＤＭ、ＯＦＤＭＡ、ＷｉＭＡＸ、ＵＭＢなどを使用したシステムの中で使用されることができる。
【００５４】
各チャネルは、チャネルエンコーダ３５５と、インターリーバ３６０と、シンボルマッピングモジュール３６５と、を含むことができる。チャネルは、基地局３０５の中のレシーバ３１５に対する送信のための信号を供給するＰＡＰＲ  ＭＭエンコーダ３７０へと供給することができる。
【００５５】
チャネルエンコーダ３５５は、例えば、ターボエンコーダを使用して、（第２レベルの）エラー訂正機能を提供することができる。インターリーバ３６０は、時間または周波数のダイバーシティ(diversity)を提供するために、データの時間または周波数における順序を変更することができる。これは、マルチパスの、または深いフェード効果(deep fade effects)に対する保護を提供することができる。シンボルマッピングモジュール３６５は、データビットを変調シンボルへとマッピングすることができる。シンボルマッピングモジュールは、例えば、ＱＡＭ、Ｑ−ＰＳＫ、および／または他の変調方法を含むことができる。ＰＡＰＲ  ＭＭエンコーダ３７０は、ＳＬＭ、ブラインドＳＬＭ、ＰＴＳ、および／または他の従来の方法を使用してピーク電力管理を提供することができる。ＰＡＰＲ  ＭＭエンコーダ３２５は、サイド情報を送信するときにエラー訂正符号化を提供することもできる。他の実施形態においては、サイド情報は、送信されなくてもよいが、その代わりに受信データから導き出される。
【００５６】
復調器３２０が、ＰＡＰＲ  ＭＭデコーダ３３０によって復調器３２０のフロントエンドにおいて決定された第１のレベルの再送信を要求するときに、ＰＡＰＲ  ＭＭエンコーダは、例えば、代替マッピングを選択することにより、ピーク対平均電力要件を満たし、そして元の送信と同じ情報を含む再送信を提供することができる。この第１のレベルの再送信は、それが、トランスミッタ３１０の中の変調器のバックエンド（例えば、チャネルエンコーダ、インターリーバ、およびシンボルマッピングモジュール）によるパケットを処理することを未然に防ぐことができるので、エラー訂正の効率を改善することができる。
【００５７】
復調器３２０が、デコーダ３４５によってレシーバ３０７のバックエンドにおいて決定される第２のレベルの再送信（ＨＡＲＱ再送信）を要求する場合、トランスミッタ３１０は、エラー訂正を実行するチャネルエンコーダ（図示されず）を有する（すなわち、再送信パケットは、バックエンドを起源とする）。再送信パケットは、その後に、ＰＡＰＲ  ＭＭエンコーダを通して変調器の処理チェーンの残りによって処理され、そこでは後でそれは、モバイルデバイス３００の中のレシーバ３２０へと返信される。
【００５８】
図４Ａは、パケットが最初に受信され、そしてチャネル品質インジケータ（ＣＱＩ）が低い可能性があるときに、復調器３２０に関連づけられることができる例示のプロセスのフローチャート４００Ａを示している。下記に提示される詳細のレベルにおいては、この一般的なプロセスは、モバイルデバイスまたは基地局に関連する復調器の中で起こることができるが、しかしながら、説明と、以下の説明において使用される参照番号とは、説明を簡単にするためにモバイルデバイス３００に関連づけられることを理解すべきである。
【００５９】
初期パケットが、レシーバ３０７において受信されることができ、そしてＰＡＰＲ  ＭＭデコーダ３３０、シンボルデマッピング３３５、およびデインターリーバ３４０のモジュールを通過する。ここにおいて使用されるように、用語「初期パケット」は、任意の復号化および／またはエラー訂正のオペレーション（単数または複数）に対する要求の中でまだ再送信されていないパケットを説明することができる。次いで、初期パケットは、デコーダ３４５において受信されることができ、そしてエラーの検出／訂正が、実行されることができる（ブロック４０２）。上記に説明されるように、デコーダ３４５は、このタスクを遂行するために、ターボ復号化(Turbo Decoding)、ＬＰＤＣ、および／または他の任意の従来の方法を使用することができる。上記に説明されるように、このタイプの訂正は、復調器３２０のバックエンドにおいて起こる第２のレベルのエラー訂正である。次いで、デコーダ３２５は、初期パケットが、初期パケット送信を用いて送信されている可能性がある冗長情報を仮定して、それが訂正することができないエラーを含むかどうかを決定することができる（Ｂ４０４）。パケットが訂正されることができる場合、レシーバ３０７は、基地局３０５のレシーバ３１５に対してＡＣＫを送信するように、ローカルトランスミッタ３０９に通知することができる（Ｂ４０６）。デコーダ３４５が、Ｂ４０４において、パケットが訂正されることができないことを決定する場合、デコーダ３４５は、基地局３０５のレシーバ３１５に対してＮＡＣＫタイプ２を送信する通知をローカルトランスミッタ３０９に提供することができる（Ｂ４０８）。デコーダ３４５はまた、ＰＡＰＲ  ＭＭデコーダ３３０に対してＮＡＣＫタイプ２フィードバック通知を提供することもでき、それでそれは、必要があれば、後続の第１のレベルのエラーの検出／訂正を実行するために初期化されることができる（Ｂ４１１）。この初期化は、下記に説明されるしきい値計算において使用されることができる１つまたは複数の統計パラメータ（例えば、カウンタ（単数または複数））をリセットすること、を含むことができる。基地局３０５のレシーバ３１５が、ＮＡＣＫタイプ２を受信した後に、それは、パケットを再送信するように基地局３０５のトランスミッタに通知することになり、そしてそれを行う際に、トランスミッタ３１０のターボエンコーダによって再符号化されることになる（すなわち、ＮＡＣＫタイプ２に応じて、パケットは、トランスミッタ３１０のバックエンドから再送信されることになる）。次いで、モバイルデバイス３００のレシーバ３０７は、再送信パケットを受信することができ（Ｂ４１３）、この再送信パケットは、ＰＡＰＲ  ＭＭデコーダ３３０、シンボルデマッピングモジュール３３５、デインターリーバ３４０によって処理され、そして次いでデコーダ３４５へと提示されることができる。本方法は、下記に説明されるプロセス４００Ｂへと続くことができる。
【００６０】
図４Ｂは、ＣＱＩが低い可能性があり、そして初期パケットが受信され、再送信が要求された後の場合の、復調器３２０に関連づけられることができる例示のプロセス４００Ｂのフローチャートを示している。図４Ａの説明におけるように、下記に提示される詳細のレベルでは、この一般的なプロセスは、モバイルデバイスまたは基地局のいずれかに関連する復調器の中で起こることができるが、しかしながら、説明と、以下の説明の中で使用される参照番号とは、説明を簡単にするためにモバイルデバイス３００に関連づけられることを理解すべきである。
【００６１】
プロセス４００Ｂは、第２のレベルのエラーの検出訂正を実行することができるデコーダ３４５において、パケットを受信することにより開始することができる（ブロック４０５）。パケットがエラーを含まない場合、あるいはパケットがデコーダ３４５によって訂正されることができるエラーを含んでいたことが決定される場合（Ｂ４１０）、そのときにはデコーダ３４５は、基地局３０５へとＡＣＫを送信するように、ローカルトランスミッタ３０９に対して通知を提供することができる（Ｂ４５５）。パケットが、破損され、そしてＢ４０５においてデコーダ３４５によって訂正されることができなかったことが、決定される場合、そのときには復調器３２０は、基地局３０５へとＮＡＣＫタイプ１を送信するように、トランスミッタ３０９に通知することができる（Ｂ４１５）。例えば、この通知は、デコーダ３４５において開始されることができ、このデコーダは、ＰＡＰＲ  ＭＭデコーダ３３０に対してその通知を提供することができ、このＰＡＰＲ  ＭＭデコーダは、次にＰＡＰＲ  ＭＭデコーダ３７０に対して通知を転送することができる。ＰＡＰＲ  ＭＭデコーダは、基地局３０５のレシーバ３１５に対してトランスミッタ３０９によって後で送信されることができるＮＡＣＫタイプ１を生成することができる。
【００６２】
送信されるＮＡＣＫタイプ１に応じて、同じシンボルの新しいＰＡＰＲ符号化を含む送信が、復調器３２０のフロントエンドにおいて受信されることができる（Ｂ４２０）。いくつかの実施形態においては、追加のサイド情報が、ＰＡＰＲ符号化（例えば、ＳＬＭ復号化）の助けをするために受信されることもできる。他の実施形態においては、サイド情報は、受信されなくてもよい（例えば、ブラインドＳＬＭ復号化）。新しいＰＡＰＲ符号化は、基地局トランスミッタ３１０の中に存在するＰＡＰＲ  ＭＭエンコーダによって生成されることができ、これは、ＰＡＰＲ  ＭＭデコーダ３３０によって復号されることができる（Ｂ４２０）。いくつかの実施形態においては、ＰＡＰＲ復号化は、受信されたサイド情報と一緒にＳＬＭを利用することができる。他の実施形態においては、ブラインドＳＬＭが、受信データそれ自体からサイド情報を導き出すために使用されることができる。例えば、最大尤度推定など、知られている技法が、サイド情報の推定値を導き出すために使用されることができる。ＰＡＰＲ  ＭＭデコーダ３３０は、サイド情報が、例えば、従来のＰＡＰＲ  ＳＬＭ技法におけるような新しいＰＡＰＲ符号化と一緒に送信された場合、さらに、サイド情報に対してエラーの検出／訂正を実行することができる（Ｂ４２５）。このオペレーションは、知られているエラー検出と畳み込みエラー訂正との符号技法（ＥＣＣ）を使用して実行されることができる。代わりに、ブラインドＳＬＭが、ＰＡＰＲ符号化／復号化のために使用されており、サイド情報が、実際には送信されなかった場合、「エラー検出」は、推定されたサイド情報の中の信頼度に基づいたものとすることができる（Ｂ４２５）。信頼度は、シンボルのマッピングおよびデマッピングのために使用される変調のタイプ（ＱＡＭ、ＰＳＫなど）に応じて変化することができる知られている統計推定器を使用することにより推定されることができる。エラーがサイド情報の中で検出された（あるいは信頼度の低い尺度が、計算された）場合、ＰＡＰＲ  ＭＭデコーダ３３０は、サイド情報の中のこのエラーを訂正しようと試みることができる（Ｂ４２５）。
【００６３】
次いで、ＰＡＰＲ  ＭＭデコーダ３３０は、サイド情報が訂正不可能なエラーを含む（あるいはブラインドＳＬＭが使用されている場合には信頼度の受け入れがたく低い尺度を有する）かどうかを決定することができる（Ｂ４３０）。サイド情報が訂正不可能であった場合、ＰＡＰＲ  ＭＭデコーダ３３０によって実行されるＰＡＰＲデマッピングは、成功している可能性がある。このポイントにおいて、第１のレベルのエラー訂正は、完了しており、そしてＰＡＰＲ復号化パケットそれ自体は、デコーダ３４５においてそれに対してエラーの検出／訂正が実行される可能性がある。ここで、送信されたデータパケットは、エラーの検出／訂正を受けることができ、そしてサイド情報は、それを受けないことができる。
【００６４】
サイド情報が、ＥＣＣ情報を使用して訂正不可能なエラーを含むことが、決定される場合（Ｂ４３０）、エラーメトリック(error metric)が、計算されることができる（Ｂ４３５）。エラーメトリックは、ＰＡＰＲ  ＭＭデコーダ３３０によって提供される間違ったサイド情報値の数の実行中の合計を（例えば、カウンタを使用して）保持することにより決定されることができる。このメトリックは、しきい値と比較されることができる（Ｂ４４０）。これは、どのアプローチをレシーバ３００はエラーの検出／訂正プロセスにおける次のステップとして使用することになるか（すなわち、ＮＡＣＫタイプ１を送信しているレベル１の検出／訂正を用いてもう一度試みるか、あるいはＮＡＣＫタイプ２を送信することによりＨＡＲＱ再送信に関連してレベル２の検出／訂正を使用するか）に関する決定を行うために使用されることができる。
【００６５】
上記決定において使用されるしきい値は、様々な異なるやり方で計算されることができる。１つの例示のしきい値（Ｔ）は、次式：  
Ｔ＝（Ｎ／ｎ）＊ｋ＊（Ｅｃ／Ｎ）  
によって計算されることができ、ここで  
Ｎ：デコーダ４１０の中で使用されるバックエンド符号化の長さであり、  
ｎ：ＰＡＰＲ  ＭＭエンコーダ４２５の中で使用されるシンボル長であり、  
ｋ：ＰＡＰＲ  ＭＭエンコーダ４２５の中で使用されるマッピング情報長であり、そして  
Ｅｃ：バックエンドデコーダ４１０のエラー訂正能力である。
【００６６】
Ｂ４３５の中で計算されるエラーメトリックが、Ｂ４４０においてしきい値を超過しないことが決定される場合、合計は、カウンタを増分することにより増大されることができる（Ｂ４４２）。その後に、レベル１のエラーの検出／訂正プロセスは、別のＮＡＣＫタイプ１が、トランスミッタ４００へと送信されることができる場合に、制御をＢ４１５へと転送して戻すことにより繰り返すことができる。任意のカウンタは、サイド情報（受信されるか、または導き出されるかのいずれか）が欠陥があることが見出された回数を追跡して増分されることもできる。
【００６７】
Ｂ４４０における決定が、Ｂ４３５の中で計算されるエラーメトリックがしきい値（Ｔ）を超過することを見出す場合、カウンタは初期化されることができ、そしてカウンタがしきい値を超過しており、そしてそれ故に満了しているという通知が、ローカルトランスミッタへと提供されることができる（Ｂ４４３）。次いで、レベル２のエラーの検出／訂正プロセスは、レシーバ３０７に、基地局３０５に対してＮＡＣＫタイプ２を送信するように通知をローカルトランスミッタ３０９に提供するようにさせることにより開始されることができる（Ｂ４４５）。次いで、レシーバは、パケットそれ自体の再送信を受信することができ、このパケットは、基地局トランスミッタ３１０のバックエンドを（すなわち、基地局のチャネルエンコーダを）起源とすることができる（Ｂ４５０）。ひとたび再送信パケットが、ＰＡＰＲ  ＭＭデコーダ３３０と、シンボルデマッピングモジュール３２５と、デインターリーバ３４０とを通過した後に、次いで制御は、Ｂ４０５へと転送されることができ、ここでデコーダ３４５は、復調器３２０のバックエンドにおいてレベル２のエラーの検出／訂正を実行する。
【００６８】
図５は、変調器に関連づけられることができる例示のプロセスのフローチャートである。このレベルの詳細においては、変調器は、モバイルデバイス３００の中にあるか、または基地局３０５（図３には示されず）の中にあるかのいずれかとすることができる。図４Ａおよび４Ｂの中で説明される例との一貫性を保つために、例示のプロセス５００は、モバイルデバイス３００の変調器３２５の上で（すなわち、レシーバ３０７に対して「ローカル」なトランスミッタ３０９の中で）実行することができる。パケットは、移動局のトランスミッタ３２５から基地局３０５のレシーバ３１５（例えば、エアインターフェースを通して「遠い」レシーバ）へと送信されることができ（ブロック５０５）、そして関連するシンボルは、ＰＡＰＲ  ＭＭエンコーダ３７０にバッファされることができる。ひとたびパケットが、レシーバ３１５において処理され、そしてパケットのステータスが、決定された後に、ＮＡＣＫタイプ１、ＮＡＣＫタイプ２、またはＡＣＫは、パケットのステータスに応じて、遠いトランスミッタ３１０からレシーバ３０７において受信されることができる。次いで、モバイルデバイス３００の中のレシーバ３０７は、モバイルデバイス３００の中のローカルトランスミッタ３０９へと適切な通知を送信することができる。
【００６９】
トランスミッタ３０９が、ＡＣＫ通知がレシーバ３０７によって提供されたことを決定する場合（Ｂ５１０）、トランスミッタは、バッファ再送信ウィンドウを前方へと移動させることにより次のパケットへと進むことができる（Ｂ５３０）。ＡＣＫ通知が、Ｂ５１０の中で受信されなかった場合、トランスミッタ３０９は、レシーバ３０７がＮＡＣＫタイプ１通知を提供したかどうか、または満了したカウンタ通知が受信されなかったかどうかを調べるために検査することができる（Ｂ５１５）。ＮＡＣＫタイプ１通知が受信された場合、または満了したカウンタ通知が受信されなかった場合、そのときにはレベル１のエラーの訂正／検出が、望まれることができ、同じシンボルの再送信ＰＡＰＲ符号化が、トランスミッタ３０９の中のＰＡＰＲ  ＭＭエンコーダ３７０によって形成される（Ｂ５２５）。次いで、この新しいＰＡＰＲ再符号化パケットは、基地局３０５におけるレシーバ３１５に対して後で送信されることができる（Ｂ５３０）。
【００７０】
トランスミッタ３０９が、Ｂ５１５の中で、ＮＡＣＫタイプ１通知がレシーバ３０７によって提供されなかったことを決定する場合、そのときにはＮＡＣＫタイプ２通知は、レシーバ３０７によって提供されていることができる。代わりに、満了したカウンタ通知が、レシーバ３０７によって提供されていることもできる。これらのうちのいずれかの場合に、パケットは、トランスミッタ３０９の中のチャネルエンコーダ３５０によって（例えば、ターボエンコーダを使用して）再符号化されることができる（Ｂ５５０）。次いで、この新しくチャネル符号化されたパケットは、レシーバ３１５へとエアインターフェース上でトランスミッタ３０９によって送信されることができる（Ｂ５３５）。
【００７１】
図６Ａ〜６Ｃは、図４および５において説明される例示のプロセスに関連する信号フロー図６００Ａ〜６００Ｃを示している。各図は、デバイスのフロントエンド、またはデバイスのバックエンドの観点から、送信または通知が、それが提供される場所から、それが提供される場所へと送信されている場合を示している。３つの異なる場合が、フローチャート図４に示されるように、どの決定が条件付きブロックＢ４３０およびＢ４４０において行われるかに基づいて、提供される。以下でさらに詳細に説明されるように、これらの図のおのおのは、エラーが、最初に送信されたパケット（６０２）と、最初に送信されたパケットの第１の再送信（６１２）との両方の上で、起こったことを仮定している。図６Ａ〜Ｃに示される破線は、単一の通信エンティティ内で起こる通知を表すことができる。これらの通知は、例えば、様々な信号、ビット符号化、「内部の」ＮＡＫなどを使用してインプリメントされることができる。実線は、通信エンティティの間で起こる送信および／または受信を表すことができる。図６Ａ〜６Ｃに示される例においては、実線は、モバイルデバイス３００と、基地局３０５との間のインターフェースを通して起こる通信を表す。
【００７２】
図６Ａにおいて、信号フロー図６００Ａは、サイド情報（送信されるか、または導き出されるかのいずれか）が、図４Ｂに示されるようにブロックＢ４３０の中で有効であることが決定されるときの信号フローを示している。
【００７３】
基地局３０５のトランスミッタ３１０は、初期パケット送信を送信することができる（Ｓ６０２）。初期パケットは、レシーバ３０７へとエアインターフェースを通して送信されることに先立って、トランスミッタ３１０のバックエンドにおいて符号化されることができる。レシーバ３０７は、レシーバのバックエンドにおいて（例えば、デコーダ３４５の中で）初期パケットを復号することができる。上記で説明されるように、我々は、レシーバ３０７のバックエンドが、初期パケットが訂正不可能なエラーを含むことを決定することを仮定することになる。結果として、次いで、レシーバ３０７のバックエンドは、トランスミッタ３０９のバックエンド（例えば、チャネルエンコーダ３５０）に対してＮＡＣＫタイプ２通知を提供することができる（Ｓ６０４）。レシーバのバックエンドは、第１のレベルのエラーの検出／訂正オペレーションのためにそれをイニシャルで記すために、レシーバのフロントエンド（例えば、ＰＡＰＲ  ＭＭデコーダ３３０）に対してＮＡＣＫタイプ２通知を提供することもできる（Ｓ６０６）。ＮＡＣＫタイプ２通知Ｓ６０４に応じて、次いで、トランスミッタ３０９は、基地局レシーバ３１５に対してエアインターフェースを通してＮＡＣＫタイプ２を送信することができ、これは、レシーバ３０７のバックエンドにおいて処理されることができる（Ｓ６０８）。レシーバ３１５は、基地局のトランスミッタ３１０のバックエンドに対して再送信要求を提供することができる。それに応じて、トランスミッタ３１０は、トランスミッタ３１０のバックエンドにおいて再符号化されるパケットを再送信することになる（Ｓ６１２）。ここで、再符号化は、チャネルエンコーダの中で起こることができる。
【００７４】
再送信パケットもまた、訂正不可能なエラーを含むことを仮定して、レシーバ３０７のバックエンドは、エラーを検出することができ、そしてＮＡＣＫタイプ１が基地局に対して提供されるべきであるという通知をレシーバ３０７のフロントエンドへと送信することができる（Ｓ６１３）。レシーバ３０７のフロントエンドは、ＮＡＣＫタイプ１が、送信されるべきであるという通知をトランスミッタ３０９のＰＡＰＲ  ＭＭエンコーダ３７０に対して提供することができる（Ｓ６１４）。Ｓ６１４の後に、ＮＡＣＫタイプ１カウンタは、増分されることができることに注意すべきである。この通知は、レシーバ３０７の中のＰＡＰＲ  ＭＭデコーダ３２０を経由して提供されることができる。次いで、フロントエンドにおけるトランスミッタ３０９は、レシーバ３１５へとＮＡＣＫタイプ１を送信することができる（Ｓ６１６）。このＮＡＣＫタイプ１は、レシーバ３１５のフロントエンドにおいて処理されることができ、これは、次にトランスミッタ３１０のフロントエンドに対して再送信要求を提供することができる（Ｓ６１８）。再送信要求Ｓ６１８に応じて、トランスミッタ３１０のフロントエンドは、基地局３０５の中に存在するＰＡＰＲ  ＭＭエンコーダによって再符号化されるパケットを送信することができる（Ｓ６２０）。この新しいＰＡＰＲ符号化は、同じシンボルに対して起こり、そしてＰＡＰＲ  ＭＭデコーダ３３０の中のレシーバ３０７のフロントエンドによって復号されることを必要とするにすぎない可能性がある。この時に、ＰＡＰＲ  ＭＭデコーダは、サイド情報が、有効であるかどうかを決定することができる。図４において上記で説明されるように、この決定は、ブロック４３０において行われることができる。サイド情報が、ＳＬＭについてそうであるように実際に送信された場合、それは、エラーの検出／訂正を使用して実行されることができる。代わりに、サイド情報は、ブラインドＳＬＭが使用される場合に導き出されている可能性もあり、そしてそれ故に統計メトリックは、導き出されたサイド情報の有効性を決定するために計算されることができる。サイド情報が有効であることが、決定される場合、レシーバ３０７のフロントエンドにおけるＰＡＰＲ  ＭＭデコーダ３３０は、基地局３０５へとＡＣＫを送信するようにトランスミッタ３０９のバックエンドに通知することができる（Ｓ６３０）。トランスミッタ３０９は、基地局３０５におけるレシーバ３１５に対してＡＣＫを送信することにより応答することができ、このＡＣＫは、このレシーバのバックエンドにおいて復号されることができる。
【００７５】
図６Ｂにおいて、信号フロー図６００Ｂは、サイド情報（送信されるか、または導き出されるかのいずれか）が、図４Ｂに示されるように、ブロックＢ４３０の中で有効でなく、そしてエラー訂正メトリックが、Ｂ４４０の中で超過しないことが決定されるときの信号フローを示している。信号Ｓ６０２ないしＳ６２０は、上記で説明されるのと同じとすることができ、そして反復される必要はない。
【００７６】
図４Ｂに示されるブロック４３０において、サイド情報が有効でないことが決定され、そしてエラー訂正メトリックしきい値が、ブロック４４０の中で超過されないことがさらに決定される場合、以下の信号フローが、起こり得る。最初に、レシーバ３０７のフロントエンドは、ＮＡＣＫタイプ１を送信するようにトランスミッタ３０９のフロントエンドに通知することができる（Ｓ６４０）。これは、レシーバのＰＡＰＲ  ＭＭデコーダ３３０によって行われることができる。さらに、ＰＡＰＲ  ＭＭデコーダ３３０は、送信されているＮＡＣＫタイプ１の数を追跡するためにカウンタを増分することができる。トランスミッタ３０９のフロントエンドは、ＮＡＣＫタイプ１を送信することにより応答することができる（Ｓ６４２）。このＮＡＣＫタイプ１は、基地局のレシーバ３１５のフロントエンドによって処理されることができる。レシーバ３１５のフロントエンドは、トランスミッタ３１０のフロントエンドに対して再送信要求を提供することができる（Ｓ６４４）。それに応じて、トランスミッタ３１０のフロントエンドは、トランスミッタ３１０のＰＡＰＲ  ＭＭエンコーダによって再符号化されているデータを送信することができる（Ｓ６４６）。再送信されたＰＡＰＲ再符号化は、ＰＡＰＲ  ＭＭデコーダ３３０の中のレシーバ３０７のフロントエンドにおいて復号されることができる。
【００７７】
図６Ｃにおいて、信号フロー図６００Ｃは、サイド情報（送信されるか、または導き出されるかのいずれか）が、図４Ｂに示されるように、ブロックＢ４３０の中で有効でなく、そしてエラー訂正メトリックが、Ｂ４４０の中で超過することが決定されるときの信号フローを示している。信号Ｓ６０２ないしＳ６２０は、上記で説明されるのと同じとすることができ、そしてここで反復される必要はない。
【００７８】
最初に、レシーバ３０７のフロントエンドは、ＮＡＣＫタイプ２を用意するようにレシーバ３０７のバックエンドに対して通知を送信することができる（Ｓ６５０）。フロントエンドはまた、ＮＡＫタイプ１カウンタをゼロに初期化することもできる。レシーバ３０７のバックエンドは、次に、ＮＡＣＫタイプ２を生成するようにトランスミッタ３０９のバックエンドに通知することができ、このＮＡＣＫタイプ２をトランスミッタ３０９は、後で送信することになる（Ｓ６５４）。このＮＡＣＫタイプ２は、基地局におけるレシーバ３１５のバックエンドによって復号されることができる。レシーバ３１５のバックエンドは、トランスミッタ３１０のバックエンドに対して再送信要求を提供することができる（Ｓ６５６）。トランスミッタ３１０は、チャネルエンコーダを使用してバックエンドにおいてパケットを再符号化し、そして次いでチャネル再符号化パケットを再送信することができる（Ｓ６５８）。このパケットは、レシーバ３０７のバックエンドにおいて復号されることができる。
【００７９】
図７Ａおよび７Ｂは、第１のレベルのエラー訂正を容易にすることができる、モバイルデバイスに関連する例示のピーク対平均電力低減マネージャのブロック図を示している。図７Ａは、モバイルデバイスのレシーバの中に存在することができるＰＡＰＲ  ＭＭデコーダ７０２を示している。着信マルチキャリア被変調信号が、シンボル検出モジュール７１０によって受信されることができる。サイド情報が着信信号の中に含まれる場合、それは、エラーについて検査され、そしてサイド情報デコーダモジュール７０８の中で復号されることができる。サイド情報デコーダモジュール７０６は、シンボル検出モジュール７１０へと復号されたサイド情報を供給して戻すことができ、このシンボル検出モジュールは、サイド情報と、シンボルルックアップモジュール７０８とを使用してＰＡＰＲ符号化信号を復号することができる。
【００８０】
サイド情報が、着信信号と共に（例えば、ブラインドＳＬＭにおけるように）送信されない場合、サイド情報は、着信信号データそれ自体からサイド情報デコーダモジュールの中で導き出されることができる。さらに、導き出されたサイド情報は、ブロック７０６の中で標準的統計方法を使用して有効性が確認されることができる。ひとたびサイド情報デコーダモジュール７０６が、サイド情報を導き出した後に、そのサイド情報は、シンボル検出モジュール７１０に対して供給され、そしてＰＡＰＲ復号化は、上記で説明されるように進むことができる。
【００８１】
サイド情報デコーダモジュールが、サイド情報の品質を決定する場合、ＮＡＣＫタイプ１生成論理モジュール７０４は、ＡＣＫを送信するようにローカルなマッパ(mapper)とデコーダとに信号で伝える(signal)ことができる。ＡＣＫは、必ずしも明示的な信号またはパケットとすることができるとは限らない。それは、デコーダへとＰＡＰＲ出力をただ送信することにより、ＡＣＫが仮定されることができるという点において暗黙的とすることができる。
【００８２】
ＮＡＣＫタイプ１生成論理モジュール７０４が、ホー(hoe)のカウンタを保持することができる場合、しばしばサイド情報は、無効である。このカウンタがしきい値を超過するメトリックを生成する場合、ＮＡＣＫタイプ２は、基地局トランスミッタへと送信されることができる。メトリックが超過されない(metric is not exceeded)場合、ＮＡＣＫタイプ１は、基地局トランスミッタへと送信されることができる。
【００８３】
図７Ｂは、モバイルデバイスのトランスミッタの中に存在することができるＰＡＰＲ  ＭＭエンコーダ７１２を示している。着信信号が、マルチキャリア変調器からシンボル選択マッピング論理モジュール(symbol selection and mapping logic module)（ＳＳＭＬＭ）７１８へと供給され、このシンボル選択マッピング論理モジュールは、ピーク電力レベルを低減させるＰＡＰＲ符号化データを生成する。ＳＳＭＬＭ７１８は、ピーク電力を最小にする適切な符号化を見出す際の助けをするためにシンボル再生バッファ７２０を使用する。ＳＳＭＬＭ７１８は、ＳＬＭが使用されている場合に、例えば、畳み込みＥＣＥなどのエラー訂正符号化を実行するために、サイド情報エンコーダモジュール７１４へとサイド情報を供給することができる。ブラインドＳＬＭが使用されている場合、サイド情報は、符号化されること、または送信されることができない。エラー符号化の後に、サイド情報は、ＳＳＭＬＭ７１８へと渡されて戻され、そして次いで基地局レシーバへの送信のために下流で供給されることができる。ＮＡＣＫタイプ１デコーダ論理モジュール(NACK Type1 Decoder Logic Module)（Ｎ１ＤＬＭ）７１８は、レシーバからＮＡＣＫタイプ１通知を受信することができ、そしてＳＳＭＬＭ７１８に、異なるＰＡＰＲ符号化を使用して同じシンボルを送信するように指示することになる。
【００８４】
図８Ａおよび８Ｂは、第１のレベルのエラーの検出／訂正を容易にすることができる、基地局に関連する例示のピーク対平均電力低減マネージャのブロック図を示している。図８Ａは、シンボル検出モジュール(Symbol Detection Module)（ＳＤＭ）８１０において着信マルチキャリア被変調信号を受信することができる基地局レシーバ８０２を示している。シンボルルックアップモジュール８１２を使用して、ＳＤＭ８１０は、ピーク電力レベルを低減させるためにＰＡＰＲ符号化を実行することができる。ＳＬＭがＳＤＭ８１０の中で使用されている場合、着信信号は、サイド情報デコーダモジュール(Side Information Decoder Module)（ＳＩＤＭ）８０８によって復号されることができる符号化されたサイド情報を含むことができる。ＳＤＩＭ８０８は、サイド情報を復号し、そして次いでエラーについて検査することができる。サイド情報デコーダモジュール８０８は、シンボル検出モジュール８１０へと復号されたサイド情報を供給して戻すことができ、このシンボル検出モジュールは、サイド情報とシンボルルックアップモジュール８１２とを使用してＰＡＰＲ符号化信号を復号することができる。
【００８５】
サイド情報が、着信信号と共に（例えば、ブラインドＳＬＭにおけるように）送信されない場合、サイド情報は、着信信号データそれ自体からサイド情報デコーダモジュールの中で導き出されることができる。さらに、導き出されたサイド情報は、ブロック８０８の中で標準的な統計方法を使用して有効性を確認されることができる。ひとたびサイド情報デコーダモジュール８０８がサイド情報を導き出した後に、サイド情報は、シンボル検出モジュール８１０へと供給されることができ、そしてＰＡＰＲ復号化は、上記に説明されるように進むことができる。
【００８６】
サイド情報デコーダモジュールが、サイド情報の品質を決定する場合、ＮＡＣＫタイプ１生成論理モジュール８０４は、ウィンドウ内のエラーの数が、しきい値（例えば、エラー訂正メトリックしきい値）を超過しないときに、ＡＣＫを送信するようにローカルなマッパとデコーダとに信号で伝えることができる。ＡＣＫは、必ずしも明示的な信号またはパケットとすることができるとは限らない。それは、デコーダへとＰＡＰＲ出力をただ送信することにより、ＡＣＫが仮定されることができるという点において暗黙的とすることができる。
【００８７】
ＮＡＣＫタイプ１生成論理モジュール８０４が、どれくらいの頻度でサイド情報が無効であるかについてのカウンタを保持することができるかどうかである。このカウンタが、しきい値を超過するメトリックを生成する場合、ＮＡＣＫタイプ２は、基地局トランスミッタへと送信されることができる。メトリックが超過されない(metric is not exceeded)場合、ＮＡＣＫタイプ１は、基地局トランスミッタへと送信されることができる。
【００８８】
上記機能を実行することに加えて、基地局レシーバ７０２は、スケジューラモジュール８０６を使用して異なる移動局からのＮＡＣＫタイプ１、ＮＡＣＫタイプ２、およびＡＣＫのパケットデータの送信をスケジュールすることができる。いくつかの場合においては、基地局は、第１のレベルのエラー検出に適応することができないモバイルデバイスに対して、ＮＡＣＫタイプ１機能をオフにすることができる。
【００８９】
図８Ｂは、基地局のトランスミッタの中に存在することができる例示のＰＡＰＲ  ＭＭエンコーダ８１４を示している。着信信号は、マルチキャリア変調器からシンボル選択マッピング論理モジュール（ＳＳＭＬＭ）８１８へと供給されることができ、このシンボル選択マッピング論理モジュールは、ピーク電力レベルを低減させるＰＡＰＲ符号化データを生成する。ＳＳＭＬＭ８１８は、ピーク電力を最小にする適切な符号化を見出す際に助けをするためにシンボル再生バッファ８２０を使用する。ＳＳＭＬＭ８１８はまた、例えば、畳み込みＥＣＥなどのエラー訂正符号化を実行するために、サイド情報エンコーダモジュール(Side Information Encoder Module)（ＳＩＥＭ）８１６へとサイド情報を（ＳＬＭが使用されている場合に）供給することもできる。ブラインドＳＬＭが使用されている場合、サイド情報は、符号化されること、または送信されることができない。エラー符号化の後に、サイド情報は、ＳＳＭＬＭ８１８へと渡して戻され、そして次いで基地局レシーバへの送信のために下流で供給されることができる。ＮＡＣＫタイプ１デコーダ論理モジュール（Ｎ１ＤＬＭ）８２２は、ローカルレシーバからＮＡＣＫタイプ１通知を受信することができ、そしてＳＳＭＬＭ８１８に、異なるＰＡＰＲ符号化を使用して同じシンボルを送信するように指示することになる。
【００９０】
基地局ＰＡＰＲエンコーダ８１４は、すべてのユーザデータをスケジューラ８２４にバッファすることもでき、そして次いでＳＳＭＬＭ８１８に、ユーザのスロットまたは符号に応じて同じものを再送信するように通知する。
【００９１】
図９は、例示のレシーバの中で起こることができる否定応答(Negative Acknowledgement)（ＮＡＣＫ）検出のための例示のプロセスのフローチャートを示している。レシーバは、最初にＮＡＫを受信することができる（Ｂ９１０）。レシーバは、最初にＮＡＫがＮＡＫタイプ１であるかどうかを決定することができる（Ｂ９１２）。これは、ＮＡＫ内の制御ビットを検査することによって実行されることができる。制御ビットがＮＡＫタイプ１と整合している場合、レシーバは、ＰＡＰＲ  ＭＭデコーダにおいてＮＡＫタイプ１を復号することができる（Ｂ９１４）。次いで、レシーバは、ローカルトランスミッタの中に存在するローカルＰＡＰＲ  ＭＭエンコーダへと再送信要求を送信することができる（Ｂ９１６）。制御ビットがＮＡＫタイプ２と整合している場合、レシーバは、ＰＡＰＲ  ＭＭデコーダにおいてＮＡＫタイプ２を復号することになる（Ｂ９１４）。次いで、レシーバは、ローカルトランスミッタの中に存在するローカルＰＡＰＲ  ＭＭエンコーダへと再送信要求を送信することができる（Ｂ９１６）。バックエンドデコーダは、ローカルチャネルエンコーダへと再送信要求を送信することができる（Ｂ９２０）。
【００９２】
図１０は、例示のモバイルデバイス１１０の様々なコンポーネントを示すトップレベルのブロック図である。モバイルデバイス１１０は、セルラ電話の形態で示されるが、しかしながら、本発明の実施形態は、ネットワーク１００上でデジタル通信を実行することができるモバイルデバイス１１０の任意の形態の上で実現されることができる。例えば、モバイルデバイス１１０は、限定することなく、ワイヤレスモデム、ＰＣＭＣＩＡカード、パーソナルコンピュータ、電話、あるいはそれらの任意の組合せまたは部分的組合せを含めて、ワイヤレス通信機能を有する任意のデバイスとすることができる。
【００９３】
モバイルデバイス１１０は、ネットワーク１００上でデータおよび／またはコマンドを交換することができるプラットフォーム１０１０を有することができる。プラットフォーム１０１０は、特定用途向け集積回路（「ＡＳＩＣ」）１０２０、あるいは他のプロセッサ、マイクロプロセッサ、論理回路、または他の任意のデータ処理デバイスに動作可能に結合されたモバイルＲＦモジュール１０１５を含むことができる。ＡＳＩＣ１０２０または他のプロセッサは、モバイルデバイス１１０のメモリ１０２５に記憶される任意の常駐プログラムとインターフェースするアプリケーションプログラミングインターフェース(application programming interface)（「ＡＰＩ」）レイヤを実行することができる。メモリ１０２５は、リードオンリーメモリ(read-only memory)および／またはランダムアクセスメモリ(random-access memory)（ＲＡＭおよびＲＯＭ）、ＥＥＰＲＯＭ、フラッシュカード、あるいはそのようなプラットフォームに共通の任意のメモリから成っていることができる。
【００９４】
ワイヤレスネットワーク１００によって使用される様々な通信プロトコルレイヤは、異なるレイヤにおいて様々なコマンドおよびプロセスを実行することができるプラットフォーム１０１０の中に存在することもできる（図１０には示されず）。通信プロトコルレイヤは、例えば、無線リソース制御(Radio Resource Control)（ＲＲＣ）レイヤと、無線リンク制御(Radio Link Control)（ＲＬＣ）レイヤと、媒体アクセス制御(Medium Access Control)（ＭＡＣ）レイヤと、物理レイヤ(Physical Layer)（Ｌ１）と、を含むことができる。物理レイヤについて受信される情報は、様々なレイヤＭＡＣと、ＲＬＣと、ＲＲＣとの間で復号され、そして転送されることができる。３ＧＰＰリリース５の中で導入されるＨＳＤＰＡ規格と整合して、より高いレイヤは、高速ダウンリンク共用チャネル(High-Speed Downlink Shared Channel)（ＨＳ−ＤＳＣＨ）を使用してトラフィックデータパケットを転送することができる。同じことが、ＡＣＫ／ＮＡＣＫフィードバック情報を搬送するアップリンクの高速専用物理制御チャネル(High Speed Dedicated Physical Control Channel)（ＨＳ−ＤＰＣＣＨ）と、ＨＳ−ＤＳＣＨに関連する制御情報を搬送するダウンリンクの高速共用制御チャネル(High-Speed Shared Control Channel)（ＨＳ−ＳＣＣＨ）と、を含む他のＨＳＤＰＡチャネルについて当てはまる。
【００９５】
メモリ１０２５の一部分は、ここにおいて提示される方法と整合したデータおよび／または命令の両方を記憶することに専用化されることができる。例えば、ＨＳ−ＤＳＣＨトランスポートブロックサイズのソフトビットを記憶するために使用されるメモリ１０２５は、ＨＡＲＱプロセスに関連するパケットと称されることもある。ＨＳ−ＤＳＣＨ物理レイヤ（Ｌ１）に従って、ＨＡＲＱバッファは、おのおのが１つのプロセスに専用の増分冗長度(incremental redundancy)（ＩＲ）再結合処理のために使用されることができる、より小さなバッファへと分割されることができる。各プロセス上で、これらのソフトビットは、ＨＳ−ＤＳＣＨ物理レイヤレートマッチング(HS-DSCH physical layer rate matching)の２つのステージの間で記憶されるＨ−ＡＲＱデータを表し、これについてのバージョンが、各送信中に搬送される。上述の個別のバッファは、以下でＨＡＲＱバッファメモリロケーションと称される。各ＨＡＲＱバッファメモリロケーションは、各ＨＡＲＱプロセスについてのいくつかのソフトビットまたはサイズを有することができる。
【００９６】
図１１は、例示の基地局１０５の様々なコンポーネントを示すトップレベルのブロック図である。基地局１０５は、モバイルデバイス１１０を用いてネットワーク１００上でデータおよび／またはコマンドを交換する。基地局１０５は、特定用途向け集積回路（「ＡＳＩＣ」）１１２０、あるいは他のプロセッサ、マイクロプロセッサ、論理回路、または他の任意のデータ処理デバイスに動作可能に結合された基地局ＲＦモジュール１１１５を含むプラットフォーム１１１０を含むことができる。ＡＳＩＣ１１２０または他のプロセッサは、モバイルデバイス１１０のメモリ１１２５に記憶される任意の常駐プログラムとインターフェースするアプリケーションプログラミングインターフェース（「ＡＰＩ」）レイヤを実行することができる。メモリ１１２５は、リードオンリーメモリおよび／またはランダムアクセスメモリ（ＲＡＭおよびＲＯＭ）、ＥＥＰＲＯＭ、フラッシュカード、あるいはそのようなプラットフォームに共通の任意のメモリから成っていることができる。
【００９７】
ワイヤレスネットワーク１００によって使用される様々な通信プロトコルレイヤは、異なるレイヤにおいて様々なコマンドおよびプロセスを実行することができるプラットフォーム１１１０の中に存在することもできる（図１１には示されず）。通信プロトコルレイヤは、例えば、無線リソース制御（ＲＲＣ）レイヤと、無線リンク制御（ＲＬＣ）レイヤと、媒体アクセス制御（ＭＡＣ）レイヤと、物理レイヤ（Ｌ１）と、を含むことができる。物理レイヤについて受信される情報は、様々なレイヤＭＡＣと、ＲＬＣと、ＲＲＣとの間で復号され、そして転送されることができる。
【００９８】
メモリ１１２５の一部分は、ここにおいて提示される方法と整合したデータおよび／または命令の両方を記憶することに専用化されることができる。例えば、すべてのＨＡＲＱプロセスに一括して含まれる情報は、メモリ１１３０の中の「仮想ＩＲ」バッファに記憶される。
【００９９】
したがって、本発明の一実施形態は、ここにおいて説明される機能を実行する能力を含めてモバイルデバイス３００を含むことができる。様々な論理要素は、個別要素、プロセッサ上で実行されるソフトウェアモジュール、またはここにおいて開示される機能を達成するソフトウェアとハードウェアとの任意の組合せ、の形で実施されることができる。例えば、ＡＳＩＣ１０２０と、メモリ１０２５とはすべて、ここにおいて開示される様々な機能をロードし、記憶し、そして実行するために協調的に使用されることができ、そしてそれ故に、これらの機能を実行する論理は、様々な要素上に分散されることができる。代わりに、機能は、１つの個別コンポーネントへと（例えば、ＡＳＩＣ／プロセッサ１０２０の中の内蔵メモリに）組み込まれることもできる。したがって、図１０の中のモバイルデバイス１１０の特徴は、単に例示的なものと考えられるべきであり、そして本発明は、例示の特徴または構成だけに限定されるものではない。
【０１００】
人は、情報および信号が、様々な異なる技術および技法のうちの任意のものを使用して表されることができることを理解するであろう。例えば、上記の説明全体を通して参照されることができるデータ、命令、コマンド、情報、信号、ビット、シンボル、およびチップは、電圧、電流、電磁波、磁気の場または粒子、光の場または粒子、あるいはそれらの任意の組合せによって表されることができる。
【０１０１】
さらに、人は、ここにおいて開示される実施形態に関連して説明される様々な例示の論理ブロック、モジュール、回路、およびアルゴリズムステップが、電子的ハードウェア、コンピュータソフトウェア、またはそれら両方の組合せとしてインプリメントされることができることを理解するであろう。ハードウェアとソフトウェアとのこの交換可能性を明確に示すために、様々な例示のコンポーネント、ブロック、モジュール、回路、およびステップは、それらの機能の観点から、一般的に上記に説明されてきている。そのような機能が、ハードウェアとしてインプリメントされるか、またはソフトウェアとしてインプリメントされるかは、特定のアプリケーションと、全体のシステムに課される設計制約とに依存する。個人は、特定の各アプリケーションについて変化するやり方で説明された機能をインプリメントすることができるが、そのようなインプリメンテーションの決定は、本発明の範囲からの逸脱を引き起こすように解釈されるべきではない。
【０１０２】
ここにおいて開示される実施形態に関連して説明される方法、シーケンス、および／またはアルゴリズムは、ハードウェアの形で直接に、プロセッサによって実行されるソフトウェアモジュールの形で、あるいはそれら２つの組合せの形で実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている他の任意の形態のストレージ媒体の中に存在することができる。例示のストレージ媒体は、プロセッサが、ストレージ媒体から情報を読み取り、そしてストレージ媒体へと情報を書き込むことができるように、プロセッサに結合される。代替案においては、ストレージ媒体は、プロセッサと一体化していてもよい。
【０１０３】
したがって、本発明の一実施形態は、電力管理技法を使用してＨＡＲＱ再送信を低減させるための方法を実施するコンピュータ可読媒体を含むことができる。
【０１０４】
したがって、本発明は、示された例だけに限定されるものでなく、そしてここにおいて説明される機能を実行するための任意の手段が、本発明の実施形態に含まれる。
【０１０５】
上記開示は、本発明の例示の実施形態を示しているが、様々な変更および修正が、添付の特許請求の範囲によって定義されるような本発明の範囲を逸脱することなくここにおいて行われることができることに注意すべきである。ここにおいて説明される本発明の実施形態に従う方法請求項の機能、ステップ、および／またはアクションは、どのような特定の順序でも実行される必要はない。さらに、本発明の要素は、単数形で説明され、または請求されることができるが、単数形への限定が明示的に述べられていない限り、複数形も考慮される。
【図１】
2011524146.tif 000003
【図２】
2011524146.tif 000004
【図３】
2011524146.tif 000005
【図４Ａ】
2011524146.tif 000006
【図４Ｂ】
2011524146.tif 000007
【図５】
2011524146.tif 000008
【図６Ａ】
2011524146.tif 000009
【図６Ｂ】
2011524146.tif 000010
【図６Ｃ】
2011524146.tif 000011
【図７Ａ】
2011524146.tif 000012
【図７Ｂ】
2011524146.tif 000013
【図８Ａ】
2011524146.tif 000014
【図８Ｂ】
2011524146.tif 000015
【図９】
2011524146.tif 000016
【図１０】
2011524146.tif 000017
【図１１】
2011524146.tif 000018
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
通信リンク上で受信されるエラーを訂正するための方法であって、
デコーダにおいてパケットを受信することと、なお前記パケットは、初期送信の第１の再送信である、
前記パケットが、前記初期送信および／または前記再送信を使用して訂正不可能であるエラーを含むかどうかを決定することと、
ピーク対平均電力比（ＰＡＰＲ）管理モジュールエンコーダを起源とする前記パケットの後続の再送信に基づいて第１のレベルのエラー訂正を実行することと、
前記破損されたパケットが、前記第１のエラー訂正によって訂正されることができるかどうかを決定することと、
前記第１のエラー訂正が、前記破損されたパケットを訂正することができない場合に、エンコーダを起源とする別の後続の再送信に基づいて第２のレベルのエラー訂正を実行することと、
を備える方法。
【請求項２】
前記ＰＡＰＲ管理モジュールエンコーダを起源とする前記後で再送信されたパケットに対応するサイド情報を決定することと、
前記サイド情報が、訂正不可能なエラーを含むかどうかを決定することと、
をさらに備える請求項１に記載の方法。
【請求項３】
前記サイド情報が、訂正不可能なエラーを含まない場合に、別の第２のレベルのエラー訂正を実行することと、
前記サイド情報エラー訂正が、成功しなかった場合に、第１のレベルのエラー訂正メトリックを決定することと、
をさらに備える請求項２に記載の方法。
【請求項４】
前記エラー訂正メトリックが、しきい値を超過するかどうかを決定すること、
をさらに備え、前記しきい値が、超過されなかった場合に、
前記第１のエラー訂正メトリックに関連するカウンタを増分することと、
前記ＰＡＰＲ管理モジュールエンコーダを起源とする別の後続の送信を使用して前記第１のレベルのエラー訂正を再び実行することと、
をさらに備える請求項３に記載の方法。
【請求項５】
前記エラー訂正メトリックが、しきい値を超過するかどうかを決定すること、
をさらに備え、前記しきい値が、超過された場合に、
前記エラー訂正メトリックに対応する前記カウンタを初期化することと、
前記エンコーダを起源とする別の後続の送信を使用して前記第２のレベルのエラー訂正を再び実行することと、
をさらに備える請求項４に記載の方法。
【請求項６】
前記ＰＡＰＲ管理モジュールエンコーダを起源とする前記後で再送信されたパケットに対応する前記サイド情報を受信することと、
前記受信されたサイド情報に対してエラー訂正オペレーションを実行することと、
をさらに備える請求項２に記載の方法。
【請求項７】
通信リンク上で送信されるエラーを訂正する方法であって、
パケットをレシーバへと送信することと、
ピーク対平均電力比管理モジュール（ＰＡＰＲ  ＭＭ）エンコーダに前記パケットに対応する送信シンボルをバッファすることと、
前記レシーバから前記パケットのステータスに関する通知を受信することと、
受信された通知に基づいて第１の符号化と第２の符号化との間で選択することと、
を備え、前記第１の符号化は、前記ＰＡＰＲ  ＭＭエンコーダに関連する第１のレベルのエラー訂正に対応し、そして前記第２の符号化は、チャネルエンコーダに関連する第２のレベルのエラー訂正に対応する、方法。
【請求項８】
前記通知が、前記送信パケットが訂正不可能なエラーを有したことを示したことを決定することと、なお前記通知は、前記第１のレベルのエラー訂正に関連づけられる、
前記バッファされたシンボルを使用してトランスミッタのフロントエンドにおける前記ＰＡＰＲ  ＭＭエンコーダにおいて前記パケットを再符号化することと、
前記再符号化されたパケットを前記レシーバへと送信することと、
をさらに備える請求項７に記載の方法。
【請求項９】
前記通知が、前記送信パケットが訂正不可能なエラーを有したことを示したことを決定することと、なお前記通知は、前記第２のレベルのエラー訂正に関連づけられる、
トランスミッタのバックエンドにおける前記チャネルエンコーダにおいて前記パケットを再符号化することと、
前記再符号化されたパケットを前記レシーバへと送信することと、
をさらに備える請求項７に記載の方法。
【請求項１０】
選択的マッピング（ＳＬＭ）を使用して前記パケットを再符号化することと、
前記再符号化されたパケットに加えてサイド情報を前記レシーバへと送信することと、
をさらに備える請求項８に記載の方法。
【請求項１１】
前記通知が、前記送信パケットが、訂正不可能なエラーを有さなかったことを示したことを決定することと、
再送信ウィンドウを前方へと移動させることと、
次のパケットを送信することと、
さらに備える請求項７に記載の方法。
【請求項１２】
ＨＡＲＱ再送信を低減させるマルチレベルエラー訂正を実行するための方法であって、
第１のレシーバにおいて、第２のトランスミッタからパケット再送信を受信することと、
前記第１のレシーバにおいて、前記パケットが、前記再送信および／または初期送信を使用して訂正不可能であるエラーを含むかどうかを決定することと、
第１のトランスミッタから、否定応答（ＮＡＣＫ）を第２のレシーバへと送信することと、
前記第２のトランスミッタにおいて、前記ＮＡＣＫに基づいて第１の符号化と第２の符号化との間で選択することと、
を備え、前記第１の符号化は、ＮＡＣＫタイプ１に関連する第１のレベルのエラー訂正に対応し、そして前記第２の符号化は、ＮＡＣＫタイプ２に関連する第２のレベルのエラー訂正に対応する、方法。
【請求項１３】
ＮＡＣＫタイプ１が送信された場合に、
前記第２のトランスミッタの中に存在するＰＡＰＲ  ＭＭエンコーダにおいて前記パケットを再符号化することと、
前記第２のトランスミッタから、後続の再送信を前記第１のレシーバへと送信することと、
前記第１のレシーバの中に存在するＰＡＰＲ  ＭＭデコーダにおいて前記後続の再送信を復号することと、
をさらに備える請求項１２に記載の方法。
【請求項１４】
前記ＰＡＰＲ  ＭＭエンコーダにおいてサイド情報を生成することと、
前記後続の送信を伴う前記サイド情報を前記第１のレシーバへと送信することと、
前記サイド情報を使用して前記ＰＡＰＲ  ＭＭデコーダにおいて前記後続の再送信を復号することと、
をさらに備える請求項１３に記載の方法。
【請求項１５】
前記ＰＡＰＲ  ＭＭデコーダにおいてサイド情報を推定することと、
前記推定されたサイド情報を使用して前記ＰＡＰＲ  ＭＭデコーダにおいて前記後続の再送信を復号することと、
をさらに備える請求項１３に記載の方法。
【請求項１６】
ＮＡＣＫタイプ２が送信された場合に、
前記第２のトランスミッタの中に存在するチャネルエンコーダにおいて前記パケットを再符号化することと、
前記第２のトランスミッタから、後続の再送信を前記第１のレシーバへと送信することと、
前記第１のレシーバの中に存在するチャネルデコーダにおいて前記後続の再送信を復号することと、
をさらに備える請求項１２に記載の方法。
【請求項１７】
ＨＡＲＱ再送信を低減させるためのマルチレベルエラー訂正を実行するレシーバであって、
末端のトランスミッタのフロントエンドを起源とする再送信を利用して第１のレベルのエラー訂正を実行するように構成されたピーク対平均電力比管理モジュール（ＰＡＰＲ  ＭＭ）デコーダと、
前記ＰＡＰＲ  ＭＭエンコーダに接続されたシンボルデマッピングモジュールと、
前記シンボルデマッピングモジュールに接続されたデインターリーバと、
前記デインターリーバと前記ＰＡＰＲ  ＭＭデコーダとに接続されたデコーダと、
を備え、前記デコーダは、末端のトランスミッタのバックエンドを起源とする再送信を利用して第２のレベルのエラー訂正を実行するように構成されている、レシーバ。
【請求項１８】
前記第１のレベルのエラー訂正は、前記末端のトランスミッタの中に存在するＰＡＰＲ  ＭＭエンコーダを起源とする再送信を処理する、請求項１７に記載のレシーバ。
【請求項１９】
前記第２のレベルのエラー訂正は、前記末端のトランスミッタの中に存在するチャネルエンコーダを起源とする再送信を処理する、請求項１７に記載のレシーバ。
【請求項２０】
前記ＰＡＰＲ  ＭＭデコーダは、選択的マッピングを使用してピーク電力を管理し、そして前記ＰＡＰＲ  ＭＭエンコーダから受信されるサイド情報に対してエラー訂正を実行する、請求項１８に記載のレシーバ。
【請求項２１】
前記ＰＡＰＲ  ＭＭデコーダは、ブラインド選択的マッピングを使用してピーク電力を管理し、そして受信されたデータパケットからサイド情報を推定する、請求項１８に記載のレシーバ。
【請求項２２】
前記ＰＡＰＲ  ＭＭデコーダは、最大尤度推定を使用してそのサイド情報を推定し、そして統計メトリックを使用して前記推定されたサイド情報の有効性を確認する、請求項２１に記載のレシーバ。
【請求項２３】
前記ＰＡＰＲ  ＭＭデコーダは、モバイルデバイスの中に存在し、そして
ＮＡＣＫタイプ１生成論理モジュールと、
前記ＮＡＣＫタイプ１生成モジュールに接続されたサイド情報デコーダモジュールと、
前記サイド情報デコーダモジュールに接続されたシンボル検出モジュールと、なお前記シンボル検出モジュールは、前記サイド情報デコーダモジュールから復号されたサイド情報を受信する、
前記シンボル検出モジュールに接続されたシンボルルックアップモジュールと、
をさらに備える、請求項１７に記載のレシーバ。
【請求項２４】
前記ＮＡＣＫタイプ１生成論理モジュールは、パケットエラーの数が、しきい値を超過するときに、ＮＡＣＫタイプ１についての基地局へと送信されるべき通知を提供する、請求項２３に記載のレシーバ。
【請求項２５】
前記ＰＡＰＲ  ＭＭデコーダは、基地局の中に存在し、そして
ＮＡＣＫタイプ１生成論理モジュールと、
前記ＮＡＣＫタイプ１生成モジュールに接続されたサイド情報デコーダモジュールと、
前記サイド情報デコーダモジュールに接続されたシンボル検出モジュールと、なお前記シンボル検出モジュールは、前記サイド情報デコーダモジュールからの復号されたサイド情報を受信する、
前記シンボル検出モジュールに接続されたシンボルルックアップモジュールと、
前記シンボル検出モジュールと前記ＮＡＣＫタイプ１生成論理モジュールとに接続されたスケジューラと、
をさらに備える、請求項１７に記載のレシーバ。
【請求項２６】
前記ＮＡＣＫタイプ１生成論理モジュールは、パケットエラーの数が、しきい値を超過するときに、ＮＡＣＫタイプ１についてのモバイルデバイスへと送信されるべき通知を提供する、請求項２５に記載のレシーバ。
【請求項２７】
前記スケジューラは、複数の移動局についての前記ＮＡＣＫタイプ１トランザクションのタイミングに適応する、請求項２５に記載のレシーバ。
【請求項２８】
前記スケジューラは、前記第１のレベルのエラー訂正に適応することができないモバイルデバイスについての前記ＮＡＣＫタイプ１機能を非アクティブにする、請求項２７に記載のレシーバ。
【請求項２９】
ＨＡＲＱ再送信を低減させるためのマルチレベルエラー訂正を実行するトランスミッタであって、
第１のレベルのエラー訂正に適応するフロントエンド再送信を提供するピーク対平均電力比管理モジュール（ＰＡＰＲ  ＭＭ）エンコーダと、
前記ＰＡＰＲ  ＭＭエンコーダに接続され、送信のためにデータを変調するための少なくとも１つのチャネルと、
を備え、前記少なくとも１つチャネルは、
チャネルエンコーダと、なお前記チャネルエンコーダは、第２のレベルのエラー訂正に適応するバックエンド再送信を提供するように構成されている、
前記チャネルエンコーダに接続されたインターリーバと、
前記インターリーバに接続されたシンボルマッピングモジュールと、
をさらに備える、トランスミッタ。
【請求項３０】
前記第１のレベルのエラー訂正は、末端のレシーバのフロントエンドにおける前記ＰＡＰＲ  ＭＭエンコーダを起源とする再送信を処理する、請求項２９に記載のトランスミッタ。
【請求項３１】
前記第２のレベルのエラー訂正は、末端のレシーバのバックエンドに存在する前記チャネルエンコーダを起源とする再送信を処理する、請求項２９に記載のトランスミッタ。
【請求項３２】
前記ＰＡＰＲ  ＭＭエンコーダは、選択的マッピングを使用してピーク電力を管理し、そしてさらに、サイド情報を前記末端のレシーバの前記フロントエンドへと送信する、請求項３０に記載のトランスミッタ。
【請求項３３】
前記ＰＡＰＲ  ＭＭエンコーダは、ブラインド選択的マッピングを使用してピーク電力を管理し、そしてサイド情報を前記末端のレシーバの前記フロントエンドへと送信しない、請求項３０に記載のトランスミッタ。
【請求項３４】
前記ＰＡＰＲ  ＭＭエンコーダは、モバイルデバイスの中に存在し、そして
ＮＡＣＫタイプ１デコーダ論理モジュールと、
サイド情報エンコーダモジュールと、
前記サイド情報エンコーダモジュールと前記ＮＡＣＫタイプ１デコーダ論理モジュールとに接続されたシンボル選択マッピング論理モジュールと、なお前記シンボル選択マッピング論理モジュールは、前記サイド情報エンコーダモジュールから符号化されたサイド情報を受信する、
前記シンボル選択マッピング論理モジュールに接続されたシンボル再生バッファと、
をさらに備える、請求項２９に記載のトランスミッタ。
【請求項３５】
前記ＮＡＣＫタイプ１デコーダ論理モジュールは、モバイルデバイスの中に存在するＮＡＣＫタイプ１生成論理モジュールによって送信されるＮＡＣＫタイプ１通知を復号することを提供する、請求項３４に記載のトランスミッタ。
【請求項３６】
前記ＰＡＰＲ  ＭＭエンコーダは、基地局の中に存在し、そして
ＮＡＣＫタイプ１デコーダ論理モジュールと、
前記ＮＡＣＫタイプ１デコーダ論理モジュールに接続されたサイド情報エンコーダモジュールと、
前記サイド情報エンコーダモジュールに接続されたシンボル選択マッピング論理モジュールと、なお前記シンボル選択マッピング論理モジュールは、前記サイド情報エンコーダモジュールから符号化されたサイド情報を受信する、
前記シンボル選択マッピング論理モジュールに接続されたシンボル再生バッファと、
前記シンボル選択マッピング論理モジュールと前記シンボル再生バッファと接続されたスケジューラと、
をさらに備える、請求項２９に記載のトランスミッタ。
【請求項３７】
前記ＮＡＣＫタイプ１デコーダ論理モジュールは、パケットエラーの数が、しきい値を超過するときに、ＮＡＣＫタイプ１についてのモバイルデバイスへと送信されるべき通知を受信する、請求項３６に記載のトランスミッタ。
【請求項３８】
前記スケジューラは、複数の移動局についての前記ＮＡＣＫタイプ１トランザクションのタイミングに適応する、請求項３６に記載のトランスミッタ。
【請求項３９】
前記スケジューラは、すべてのユーザデータをバッファし、そしてユーザのスロットまたは符号に応じてパケットを再送信するように前記シンボル選択マッピング論理モジュールに通知する、請求項３８に記載のトランスミッタ。
【請求項４０】
ＨＡＲＱ再送信を低減させるためのマルチレベルエラー訂正を調整するための方法であって、
レシーバのバックエンドから、訂正不可能なエラーを有する初期パケットを受信することに応じてローカルトランスミッタのバックエンドに対してＮＡＫタイプ２通知を提供することと、
レシーバの前記バックエンドにおいて、前記ＮＡＣＫタイプ２通知に応じて新しいチャネル符号化を有する第１の再送信パケットを受信することと、
前記レシーバのフロントエンドから、訂正不可能なエラーを有する前記第１の再送信パケットに応じてローカルトランスミッタのフロントエンドに対してＮＡＫタイプ１通知を提供することと、
前記レシーバの前記フロントエンドにおいて、末端のトランスミッタの前記フロントエンドを起源とする新しいＰＡＰＲ符号化を有する後で再送信されたパケットを受信することと、
を備える方法。
【請求項４１】
前記レシーバの前記バックエンドにおいて、訂正不可能なエラーを有する初期パケット送信を受信することと、
前記レシーバの前記バックエンドから、前記レシーバの前記フロントエンドに対してＮＡＣＫタイプ２についての通知を提供することと、
をさらに備える請求項４０に記載の方法。
【請求項４２】
前記レシーバの前記フロントエンドにおいて、サイド情報が、有効でないことを決定することと、
前記レシーバの前記フロントエンドにおいて、エラー訂正メトリックが超過されないことを決定することと、
前記レシーバの前記フロントエンドから、前記ローカルトランスミッタの前記フロントエンドに対してＮＡＣＫタイプ１通知を提供することと、
前記レシーバの前記フロントエンドにおいて、前記末端のトランスミッタの前記フロントエンドを起源とする新しいＰＡＰＲ符号化を有する別の後で再送信されたパケットを受信することと、
をさらに備える請求項４０に記載の方法。
【請求項４３】
前記レシーバの前記フロントエンドにおいて、サイド情報が、有効でないことを決定することと、
前記レシーバの前記フロントエンドにおいて、エラー訂正メトリックが超過されることを決定することと、
前記レシーバの前記フロントエンドから、前記レシーバの前記バックエンドに対してカウンタ満了通知を提供することと、
前記レシーバの前記バックエンドから、前記トランスミッタの前記バックエンドに対してＮＡＣＫタイプ２通知を提供することと、
前記レシーバの前記バックエンドフロントエンドにおいて、前記末端のトランスミッタの前記バックエンドを起源とする新しいチャネル符号化を有する別の再送信パケットを受信することと、
をさらに備える請求項４０に記載の方法。
【請求項４４】
ＨＡＲＱ再送信を低減させるためのマルチレベルエラー訂正を調整するための方法であって、
トランスミッタのバックエンドから、訂正不可能なエラーを有する初期パケット送信を提供することと、
ローカルレシーバのバックエンドから、前記トランスミッタの前記バックエンドに向けられた再送信要求を受信することと、
前記トランスミッタの前記バックエンドから、新しいチャネル符号化を有する後続のパケットを再送信することと、
前記ローカルレシーバのフロントエンドから、前記トランスミッタの前記フロントエンドに向けられた再送信要求を受信することと、
前記トランスミッタのフロントエンドから、新しいＰＡＰＲ符号化を有する別の後続のパケットを再送信することと、
を備える方法。
【請求項４５】
前記ローカルレシーバの前記フロントエンドから、前記トランスミッタの前記フロントエンドに向けられた後続の再送信要求を受信することと、
前記トランスミッタのフロントエンドから、新しいＰＡＰＲ符号化を有する別の後続のパケットを再送信することと、
をさらに備える請求項４４に記載の方法。
【請求項４６】
前記ローカルレシーバの前記バックエンドから、前記トランスミッタの前記バックエンドに向けられた後続の再送信要求を受信することと、
前記トランスミッタのバックエンドから、新しいチャネル符号化を有する別の後続のパケットを再送信することと、
をさらに備える請求項４４に記載の方法。
【請求項４７】
通信リンク上で受信されるエラーを訂正するための装置であって、
デコーダにおいてパケットを受信するための手段と、なお前記パケットは、初期送信の第１の再送信である、
前記パケットが、前記初期送信および／または前記再送信を使用して訂正不可能であるエラーを含むかどうかを決定するための手段と、
ピーク対平均電力比（ＰＡＰＲ）管理モジュールエンコーダを起源とする前記パケットの後続の再送信に基づいて第１のレベルのエラー訂正を実行するための手段と、
前記破損されたパケットが、前記第１のエラー訂正によって訂正されることができるかどうかを決定するための手段と、
前記第１のエラー訂正が、前記破損されたパケットを訂正することができない場合に、エンコーダを起源とする別の後続の再送信に基づいて第２のレベルのエラー訂正を実行するための手段と、
を備える装置。
【請求項４８】
前記ＰＡＰＲ管理モジュールエンコーダを起源とする前記後で再送信されたパケットに対応するサイド情報を決定するための手段と、
前記サイド情報が、訂正不可能なエラーを含むかどうかを決定するための手段と、
をさらに備える請求項４７に記載の装置。
【請求項４９】
前記サイド情報が、訂正不可能なエラーを含まない場合に、別の第２のレベルのエラー訂正を実行するための手段と、
前記サイド情報エラー訂正が、成功しなかった場合に、第１のレベルのエラー訂正メトリックを決定するための手段と、
をさらに備える請求項４８に記載の装置。
【請求項５０】
前記ＰＡＰＲ管理モジュールエンコーダを起源とする前記後で再送信されたパケットに対応する前記サイド情報を受信するための手段と、
前記受信されたサイド情報に対してエラー訂正オペレーションを実行するための手段と、
をさらに備える請求項４８に記載の装置。
【請求項５１】
前記第１のレベルのエラー訂正は、選択的マッピング（ＳＬＭ）を利用しており、そして前記エラー訂正オペレーションは、畳み込みエラー訂正符号化を備える、請求項５０に記載の装置。
【請求項５２】
通信リンク上で送信されるエラーを訂正する装置であって、
パケットをレシーバへと送信するための手段と、
ピーク対平均電力比管理モジュール（ＰＡＰＲ  ＭＭ）エンコーダに前記パケットに対応する送信シンボルをバッファするための手段と、
前記レシーバから前記パケットのステータスに関する通知を受信するための手段と、
受信された通知に基づいて第１の符号化と第２の符号化との間で選択するための手段と、
を備え、前記第１の符号化は、前記ＰＡＰＲ  ＭＭエンコーダに関連する第１のレベルのエラー訂正に対応し、そして前記第２の符号化は、チャネルエンコーダに関連する第２のレベルのエラー訂正に対応する、装置。
【請求項５３】
前記通知が、前記送信パケットが訂正不可能なエラーを有したことを示したことを決定するための手段と、なお前記通知は、前記第１のレベルのエラー訂正に関連づけられる、
前記バッファされたシンボルを使用してトランスミッタのフロントエンドにおける前記ＰＡＰＲ  ＭＭエンコーダにおいて前記パケットを再符号化するための手段と、
前記再符号化されたパケットを前記レシーバへと送信するための手段と、
をさらに備える請求項５２に記載の装置。
【請求項５４】
前記通知が、前記送信パケットが訂正不可能なエラーを有したことを示したことを決定するための手段と、なお前記通知は、前記第２のレベルのエラー訂正に関連づけられる、
トランスミッタのバックエンドにおける前記チャネルエンコーダにおいて前記パケットを再符号化するための手段と、
前記再符号化されたパケットを前記レシーバへと送信するための手段と、
をさらに備える請求項５２に記載の装置。
【請求項５５】
ＨＡＲＱ再送信を低減させるマルチレベルエラー訂正を実行するための装置であって、
第１のレシーバにおいて、第２のトランスミッタからパケット再送信を受信するための手段と、
前記第１のレシーバにおいて、前記パケットが、前記再送信および／または初期送信を使用して訂正不可能であるエラーを含むかどうかを決定するための手段と、
第１のトランスミッタから、否定応答（ＮＡＣＫ）を第２のレシーバへと送信するための手段と、
前記第２のトランスミッタにおいて、前記ＮＡＣＫに基づいて第１の符号化と第２の符号化との間で選択するための手段と、
を備え、前記第１の符号化は、ＮＡＣＫタイプ１に関連する第１のレベルのエラー訂正に対応し、そして前記第２の符号化は、ＮＡＣＫタイプ２に関連する第２のレベルのエラー訂正に対応する、装置。
【請求項５６】
ＮＡＣＫタイプ１が送信された場合に、
前記第２のトランスミッタの中に存在するＰＡＰＲ  ＭＭエンコーダにおいて前記パケットを再符号化するための手段と、
前記第２のトランスミッタから、後続の再送信を前記第１のレシーバへと送信するための手段と、
前記第１のレシーバの中に存在するＰＡＰＲ  ＭＭデコーダにおいて前記後続の再送信を復号するための手段と、
をさらに備える請求項５５に記載の装置。
【請求項５７】
前記ＰＡＰＲ  ＭＭエンコーダにおいてサイド情報を生成するための手段と、
前記後続の送信を伴う前記サイド情報を前記第１のレシーバへと送信するための手段と、
前記サイド情報を使用して前記ＰＡＰＲ  ＭＭデコーダにおいて前記後続の再送信を復号するための手段と、
をさらに備える請求項５６に記載の装置。
【請求項５８】
ＮＡＣＫタイプ２が送信された場合に、
前記第２のトランスミッタの中に存在するチャネルエンコーダにおいて前記パケットを再符号化するための手段と、
前記第２のトランスミッタから、別の後続の再送信を前記第１のレシーバへと送信するための手段と、
前記第１のレシーバの中に存在するチャネルデコーダにおいて前記後続の再送信を復号するための手段と、
をさらに備える請求項５５に記載の装置。
【請求項５９】
ＨＡＲＱ再送信を低減させるためのマルチレベルエラー訂正を調整するための装置であって、
レシーバのバックエンドから、訂正不可能なエラーを有する初期パケットを受信することに応じてローカルトランスミッタのバックエンドに対してＮＡＫタイプ２通知を提供するための手段と、
レシーバの前記バックエンドにおいて、前記ＮＡＣＫタイプ２通知に応じて新しいチャネル符号化を有する第１の再送信パケットを受信するための手段と、
前記レシーバのフロントエンドから、訂正不可能なエラーを有する前記第１の再送信パケットに応じてローカルトランスミッタのフロントエンドに対してＮＡＫタイプ１通知を提供するための手段と、
前記レシーバの前記フロントエンドにおいて、末端のトランスミッタの前記フロントエンドを起源とする新しいＰＡＰＲ符号化を有する後で再送信されたパケットを受信するための手段と、
を備える装置。
【請求項６０】
前記レシーバの前記バックエンドにおいて、訂正不可能なエラーを有する初期パケット送信を受信するための手段と、
前記レシーバの前記バックエンドから、前記レシーバの前記フロントエンドに対してＮＡＣＫタイプ２についての通知を提供するための手段と、
をさらに備える請求項５９に記載の装置。
【請求項６１】
前記レシーバの前記バックエンドから、前記レシーバの前記フロントエンドに対してＮＡＣＫタイプ１通知を提供するための手段、
をさらに備える請求項５９に記載の装置。
【請求項６２】
前記レシーバの前記フロントエンドにおいて、サイド情報が有効であることを決定するための手段と、
前記レシーバの前記フロントエンドから、前記ローカルトランスミッタの前記バックエンドに対してＡＣＫ通知を提供するための手段と、
をさらに備える請求項５９に記載の装置。
【請求項６３】
前記レシーバの前記フロントエンドにおいて、サイド情報が、有効でないことを決定するための手段と、
前記レシーバの前記フロントエンドにおいて、エラー訂正メトリックが超過されないことを決定するための手段と、
前記レシーバの前記フロントエンドから、前記ローカルトランスミッタの前記フロントエンドに対してＮＡＣＫタイプ１通知を提供するための手段と、
前記レシーバの前記フロントエンドにおいて、前記末端のトランスミッタの前記フロントエンドを起源とする新しいＰＡＰＲ符号化を有する別の後で再送信されたパケットを受信するための手段と、
をさらに備える請求項５９に記載の装置。
【請求項６４】
前記レシーバの前記フロントエンドにおいて、サイド情報が、有効でないことを決定するための手段と、
前記レシーバの前記フロントエンドにおいて、エラー訂正メトリックが超過されることを決定するための手段と、
前記レシーバの前記フロントエンドから、前記レシーバの前記バックエンドに対してカウンタ満了通知を提供するための手段と、
前記レシーバの前記バックエンドから、前記トランスミッタの前記バックエンドに対してＮＡＣＫタイプ２通知を提供するための手段と、
前記レシーバの前記バックエンドフロントエンドにおいて、前記末端のトランスミッタの前記バックエンドを起源とする新しいチャネル符号化を有する別の再送信パケットを受信するための手段と、
をさらに備える請求項５９に記載の装置。
【請求項６５】
ＨＡＲＱ再送信を低減させるためのマルチレベルエラー訂正を調整するための装置であって、
トランスミッタのバックエンドから、訂正不可能なエラーを有する初期パケット送信を提供するための手段と、
ローカルレシーバのバックエンドから、前記トランスミッタの前記バックエンドに向けられた再送信要求を受信するための手段と、
前記トランスミッタの前記バックエンドから、新しいチャネル符号化を有する後続のパケットを再送信するための手段と、
前記ローカルレシーバのフロントエンドから、前記トランスミッタの前記フロントエンドに向けられた再送信要求を受信するための手段と、
前記トランスミッタのフロントエンドから、新しいＰＡＰＲ符号化を有する別の後続のパケットを再送信するための手段と、
を備える装置。
【請求項６６】
前記ローカルレシーバの前記フロントエンドから、前記トランスミッタの前記フロントエンドに向けられた後続の再送信要求を受信するための手段と、
前記トランスミッタのフロントエンドから、新しいＰＡＰＲ符号化を有する別の後続のパケットを再送信するための手段と、
をさらに備える請求項６５に記載の装置。
【請求項６７】
前記ローカルレシーバの前記バックエンドから、前記トランスミッタの前記バックエンドに向けられた後続の再送信要求を受信するための手段と、
前記トランスミッタのバックエンドから、新しいチャネル符号化を有する別の後続のパケットを再送信するための手段と、
をさらに備える請求項６５に記載の装置。
【請求項６８】
通信リンク上で受信されるエラーを訂正するための論理を実施するコンピュータ可読媒体であって、前記論理は、
デコーダにおいてパケットを受信することと、なお前記パケットは、初期送信の第１の再送信である、
前記パケットが、前記初期送信および／または前記再送信を使用して訂正不可能であるエラーを含むかどうかを決定することと、
ピーク対平均電力比（ＰＡＰＲ）管理モジュールエンコーダを起源とする前記パケットの後続の再送信に基づいて第１のレベルのエラー訂正を実行することと、
前記破損されたパケットが、前記第１のエラー訂正によって訂正されることができるかどうかを決定することと、
前記第１のエラー訂正が、前記破損されたパケットを訂正することができない場合に、エンコーダを起源とする別の後続の再送信に基づいて第２のレベルのエラー訂正を実行することと、
を備える方法を実行するように構成されている、コンピュータ可読媒体。
【請求項６９】
前記ＰＡＰＲ管理モジュールエンコーダを起源とする前記後で再送信されたパケットに対応するサイド情報を決定することと、
前記サイド情報が、訂正不可能なエラーを含むかどうかを決定することと、
をさらに備える前記方法を実行するように構成された追加の論理を有する請求項６８に記載のコンピュータ可読媒体。
【請求項７０】
前記サイド情報が、訂正不可能なエラーを含まない場合に、別の第２のレベルのエラー訂正を実行することと、
前記サイド情報エラー訂正が、成功しなかった場合に、第１のレベルのエラー訂正メトリックを決定することと、
をさらに備える前記方法を実行するように構成された追加の論理を有する請求項６９に記載のコンピュータ可読媒体。
【請求項７１】
前記エラー訂正メトリックが、しきい値を超過するかどうかを決定すること、
をさらに備え、前記しきい値が、超過されなかった場合に、
前記第１のエラー訂正メトリックに関連するカウンタを増分することと、
前記ＰＡＰＲ管理モジュールエンコーダを起源とする別の後続の送信を使用して前記第１のレベルのエラー訂正を再び実行することと、
をさらに備える前記方法を実行するように構成された追加の論理を有する請求項７０に記載のコンピュータ可読媒体。
【手続補正２】
【補正対象書類名】明細書
【補正対象項目名】０１０５
【補正方法】変更
【補正の内容】
【０１０５】
上記開示は、本発明の例示の実施形態を示しているが、様々な変更および修正が、添付の特許請求の範囲によって定義されるような本発明の範囲を逸脱することなくここにおいて行われることができることに注意すべきである。ここにおいて説明される本発明の実施形態に従う方法請求項の機能、ステップ、および／またはアクションは、どのような特定の順序でも実行される必要はない。さらに、本発明の要素は、単数形で説明され、または請求されることができるが、単数形への限定が明示的に述べられていない限り、複数形も考慮される。
以下に本件出願当初の特許請求の範囲に記載された発明を付記する。
（１）  通信リンク上で受信されるエラーを訂正するための方法であって、
デコーダにおいてパケットを受信することと、なお前記パケットは、初期送信の第１の再送信である、
前記パケットが、前記初期送信および／または前記再送信を使用して訂正不可能であるエラーを含むかどうかを決定することと、
ピーク対平均電力比（ＰＡＰＲ）管理モジュールエンコーダを起源とする前記パケットの後続の再送信に基づいて第１のレベルのエラー訂正を実行することと、
前記破損されたパケットが、前記第１のエラー訂正によって訂正されることができるかどうかを決定することと、
前記第１のエラー訂正が、前記破損されたパケットを訂正することができない場合に、エンコーダを起源とする後続の再送信に基づいて第２のレベルのエラー訂正を実行することと、
を備える方法。
（２）  前記ＰＡＰＲ管理モジュールエンコーダを起源とする前記後で再送信されたパケットに対応するサイド情報を決定することと、
前記サイド情報が、訂正不可能なエラーを含むかどうかを決定することと、
をさらに備える（１）に記載の方法。
（３）  前記サイド情報が、訂正不可能なエラーを含まない場合に、別の第２のレベルのエラー訂正を実行することと、
前記サイド情報エラー訂正が、成功しなかった場合に、第１のレベルのエラー訂正メトリックを決定することと、
をさらに備える（２）に記載の方法。
（４）  前記エラー訂正メトリックが、しきい値を超過するかどうかを決定すること、
をさらに備え、前記しきい値が、超過されなかった場合に、
前記第１のエラー訂正メトリックに関連するカウンタを増分することと、
前記ＰＡＰＲ管理モジュールエンコーダを起源とする別の後続の送信を使用して前記第１のレベルのエラー訂正を再び実行することと、
をさらに備える（３）に記載の方法。
（５）  前記エラー訂正メトリックが、しきい値を超過するかどうかを決定すること、
をさらに備え、前記しきい値が、超過された場合に、
前記エラー訂正メトリックに対応する前記カウンタを初期化することと、
前記エンコーダを起源とする別の後続の送信を使用して前記第２のレベルのエラー訂正を再び実行することと、
をさらに備える（４）に記載の方法。
（６）  前記ＰＡＰＲ管理モジュールエンコーダを起源とする前記後で再送信されたパケットに対応する前記サイド情報を受信することと、
前記受信されたサイド情報に対してエラー訂正オペレーションを実行することと、
をさらに備える（２）に記載の方法。
（７）  通信リンク上で送信されるエラーを訂正する方法であって、
パケットをレシーバへと送信することと、
ピーク対平均電力比管理モジュール（ＰＡＰＲ  ＭＭ）エンコーダに前記パケットに対応する送信シンボルをバッファすることと、
前記レシーバから前記パケットのステータスに関する通知を受信することと、
受信された通知に基づいて第１の符号化と第２の符号化との間で選択することと、
を備え、前記第１の符号化は、前記ＰＡＰＲ  ＭＭエンコーダに関連する第１のレベルのエラー訂正に対応し、そして前記第２の符号化は、チャネルエンコーダに関連する第２のレベルのエラー訂正に対応する、方法。
（８）  前記通知が、前記送信パケットが訂正不可能なエラーを有したことを示したことを決定することと、なお前記通知は、前記第１のレベルのエラー訂正に関連づけられる、
前記バッファされたシンボルを使用してトランスミッタのフロントエンドにおける前記ＰＡＰＲ  ＭＭエンコーダにおいて前記パケットを再符号化することと、
前記再符号化されたパケットを前記レシーバへと送信することと、
をさらに備える（７）に記載の方法。
（９）  前記通知が、前記送信パケットが訂正不可能なエラーを有したことを示したことを決定することと、なお前記通知は、前記第２のレベルのエラー訂正に関連づけられる、
トランスミッタのバックエンドにおける前記チャネルエンコーダにおいて前記パケットを再符号化することと、
前記再符号化されたパケットを前記レシーバへと送信することと、
をさらに備える（７）に記載の方法。
（１０）  選択的マッピング（ＳＬＭ）を使用して前記パケットを再符号化することと、
前記再符号化されたパケットに加えてサイド情報を前記レシーバへと送信することと、
をさらに備える（８）に記載の方法。
（１１）  前記通知が、前記送信パケットが、訂正不可能なエラーを有さなかったことを示したことを決定することと、
再送信ウィンドウを前方へと移動させることと、
次のパケットを送信することと、
さらに備える（７）に記載の方法。
（１２）  ＨＡＲＱ再送信を低減させるマルチレベルエラー訂正を実行するための方法であって、
第１のレシーバにおいて、第２のトランスミッタからパケット再送信を受信することと、
前記第１のレシーバにおいて、前記パケットが、前記再送信および／または初期送信を使用して訂正不可能であるエラーを含むかどうかを決定することと、
第１のトランスミッタから、否定応答（ＮＡＣＫ）を第２のレシーバへと送信することと、
前記第２のトランスミッタにおいて、前記ＮＡＣＫに基づいて第１の符号化と第２の符号化との間で選択することと、
を備え、前記第１の符号化は、ＮＡＣＫタイプ１に関連する第１のレベルのエラー訂正に対応し、そして前記第２の符号化は、ＮＡＣＫタイプ２に関連する第２のレベルのエラー訂正に対応する、方法。
（１３）  ＮＡＣＫタイプ１が送信された場合に、
前記第２のトランスミッタの中に存在するＰＡＰＲ  ＭＭエンコーダにおいて前記パケットを再符号化することと、
前記第２のトランスミッタから、後続の再送信を前記第１のレシーバへと送信することと、
前記第１のレシーバの中に存在するＰＡＰＲ  ＭＭデコーダにおいて前記後続の再送信を復号することと、
をさらに備える（１２）に記載の方法。
（１４）  前記ＰＡＰＲ  ＭＭエンコーダにおいてサイド情報を生成することと、
前記後続の送信を伴う前記サイド情報を前記第１のレシーバへと送信することと、
前記サイド情報を使用して前記ＰＡＰＲ  ＭＭデコーダにおいて前記後続の再送信を復号することと、
をさらに備える（１３）に記載の方法。
（１５）  前記ＰＡＰＲ  ＭＭデコーダにおいてサイド情報を推定することと、
前記推定されたサイド情報を使用して前記ＰＡＰＲ  ＭＭデコーダにおいて前記後続の再送信を復号することと、
をさらに備える（１３）に記載の方法。
（１６）  ＮＡＣＫタイプ２が送信された場合に、
前記第２のトランスミッタの中に存在するチャネルエンコーダにおいて前記パケットを再符号化することと、
前記第２のトランスミッタから、後続の再送信を前記第１のレシーバへと送信することと、
前記第１のレシーバの中に存在するチャネルデコーダにおいて前記後続の再送信を復号することと、
をさらに備える（１２）に記載の方法。
（１７）  ＨＡＲＱ再送信を低減させるためのマルチレベルエラー訂正を実行するレシーバであって、
末端のトランスミッタのフロントエンドを起源とする再送信を利用して第１のレベルのエラー訂正を実行するように構成されたピーク対平均電力比管理モジュール（ＰＡＰＲ  ＭＭ）デコーダと、
前記ＰＡＰＲ  ＭＭエンコーダに接続されたシンボルデマッピングモジュールと、
前記シンボルデマッピングモジュールに接続されたデインターリーバと、
前記デインターリーバと前記ＰＡＰＲ  ＭＭデコーダとに接続されたデコーダと、
を備え、前記デコーダは、末端のトランスミッタのバックエンドを起源とする再送信を利用して第２のレベルのエラー訂正を実行するように構成されている、レシーバ。
（１８）  前記第１のレベルのエラー訂正は、前記末端のトランスミッタの中に存在するＰＡＰＲ  ＭＭエンコーダを起源とする再送信を処理する、（１７）に記載のレシーバ。
（１９）  前記第２のレベルのエラー訂正は、前記末端のトランスミッタの中に存在するチャネルエンコーダを起源とする再送信を処理する、（１７）に記載のレシーバ。
（２０）  前記ＰＡＰＲ  ＭＭデコーダは、選択的マッピングを使用してピーク電力を管理し、そして前記ＰＡＰＲ  ＭＭエンコーダから受信されるサイド情報に対してエラー訂正を実行する、（１８）に記載のレシーバ。
（２１）  前記ＰＡＰＲ  ＭＭデコーダは、ブラインド選択的マッピングを使用してピーク電力を管理し、そして受信されたデータパケットからサイド情報を推定する、（１８）に記載のレシーバ。
（２２）  前記ＰＡＰＲ  ＭＭデコーダは、最大尤度推定を使用してそのサイド情報を推定し、そして統計メトリックを使用して前記推定されたサイド情報の有効性を確認する、（２１）に記載のレシーバ。
（２３）  前記ＰＡＰＲ  ＭＭデコーダは、モバイルデバイスの中に存在し、そして
ＮＡＣＫタイプ１生成論理モジュールと、
前記ＮＡＣＫタイプ１生成モジュールに接続されたサイド情報デコーダモジュールと、
前記サイド情報デコーダモジュールに接続されたシンボル検出モジュールと、なお前記シンボル検出モジュールは、前記サイド情報デコーダモジュールから復号されたサイド情報を受信する、
前記シンボル検出モジュールに接続されたシンボルルックアップモジュールと、
をさらに備える、（１７）に記載のレシーバ。
（２４）  前記ＮＡＣＫタイプ１生成論理モジュールは、パケットエラーの数が、しきい値を超過するときに、ＮＡＣＫタイプ１についての基地局へと送信されるべき通知を提供する、（２３）に記載のレシーバ。
（２５）  前記ＰＡＰＲ  ＭＭデコーダは、基地局の中に存在し、そして
ＮＡＣＫタイプ１生成論理モジュールと、
前記ＮＡＣＫタイプ１生成モジュールに接続されたサイド情報デコーダモジュールと、
前記サイド情報デコーダモジュールに接続されたシンボル検出モジュールと、なお前記シンボル検出モジュールは、前記サイド情報デコーダモジュールからの復号されたサイド情報を受信する、
前記シンボル検出モジュールに接続されたシンボルルックアップモジュールと、
前記シンボル検出モジュールと前記ＮＡＣＫタイプ１生成論理モジュールとに接続されたスケジューラと、
をさらに備える、（１７）に記載のレシーバ。
（２６）  前記ＮＡＣＫタイプ１生成論理モジュールは、パケットエラーの数が、しきい値を超過するときに、ＮＡＣＫタイプ１についてのモバイルデバイスへと送信されるべき通知を提供する、（２５）に記載のレシーバ。
（２７）  前記スケジューラは、複数の移動局についての前記ＮＡＣＫタイプ１トランザクションのタイミングに適応する、（２５）に記載のレシーバ。
（２８）  前記スケジューラは、前記第１のレベルのエラー訂正に適応することができないモバイルデバイスについての前記ＮＡＣＫタイプ１機能を非アクティブにする、（２７）に記載のレシーバ。
（２９）  ＨＡＲＱ再送信を低減させるためのマルチレベルエラー訂正を実行するトランスミッタであって、
第１のレベルのエラー訂正に適応するフロントエンド再送信を提供するピーク対平均電力比管理モジュール（ＰＡＰＲ  ＭＭ）エンコーダと、
前記ＰＡＰＲ  ＭＭエンコーダに接続され、送信のためにデータを変調するための少なくとも１つのチャネルと、
を備え、前記少なくとも１つチャネルは、
チャネルエンコーダと、なお前記チャネルエンコーダは、第２のレベルのエラー訂正に適応するバックエンド再送信を提供するように構成されている、
前記チャネルエンコーダに接続されたインターリーバと、
前記インターリーバに接続されたシンボルマッピングモジュールと、
をさらに備える、トランスミッタ。
（３０）  前記第１のレベルのエラー訂正は、末端のレシーバのフロントエンドにおける前記ＰＡＰＲ  ＭＭエンコーダを起源とする再送信を処理する、（２９）に記載のトランスミッタ。
（３１）  前記第２のレベルのエラー訂正は、末端のレシーバのバックエンドに存在する前記チャネルエンコーダを起源とする再送信を処理する、（２９）に記載のトランスミッタ。
（３２）  前記ＰＡＰＲ  ＭＭエンコーダは、選択的マッピングを使用してピーク電力を管理し、そしてさらに、サイド情報を前記末端のレシーバの前記フロントエンドへと送信する、（３０）に記載のトランスミッタ。
（３３）  前記ＰＡＰＲ  ＭＭエンコーダは、ブラインド選択的マッピングを使用してピーク電力を管理し、そしてサイド情報を前記末端のレシーバの前記フロントエンドへと送信しない、（３０）に記載のトランスミッタ。
（３４）  前記ＰＡＰＲ  ＭＭエンコーダは、モバイルデバイスの中に存在し、そして
ＮＡＣＫタイプ１デコーダ論理モジュールと、
サイド情報エンコーダモジュールと、
前記サイド情報エンコーダモジュールと前記ＮＡＣＫタイプ１デコーダ論理モジュールとに接続されたシンボル選択マッピング論理モジュールと、なお前記シンボル選択マッピング論理モジュールは、前記サイド情報エンコーダモジュールから符号化されたサイド情報を受信する、
前記シンボル選択マッピング論理モジュールに接続されたシンボル再生バッファと、
をさらに備える、（２９）に記載のトランスミッタ。
（３５）  前記ＮＡＣＫタイプ１デコーダ論理モジュールは、モバイルデバイスの中に存在するＮＡＣＫタイプ１生成論理モジュールによって送信されるＮＡＣＫタイプ１通知を復号することを提供する、（３４）に記載のトランスミッタ。
（３６）  前記ＰＡＰＲ  ＭＭエンコーダは、基地局の中に存在し、そして
ＮＡＣＫタイプ１デコーダ論理モジュールと、
前記ＮＡＣＫタイプ１デコーダ論理モジュールに接続されたサイド情報エンコーダモジュールと、
前記サイド情報エンコーダモジュールに接続されたシンボル選択マッピング論理モジュールと、なお前記シンボル選択マッピング論理モジュールは、前記サイド情報エンコーダモジュールから符号化されたサイド情報を受信する、
前記シンボル選択マッピング論理モジュールに接続されたシンボル再生バッファと、
前記シンボル選択マッピング論理モジュールと前記シンボル再生バッファと接続されたスケジューラと、
をさらに備える、（２９）に記載のトランスミッタ。
（３７）  前記ＮＡＣＫタイプ１デコーダ論理モジュールは、パケットエラーの数が、しきい値を超過するときに、ＮＡＣＫタイプ１についてのモバイルデバイスへと送信されるべき通知を受信する、（３６）に記載のトランスミッタ。
（３８）  前記スケジューラは、複数の移動局についての前記ＮＡＣＫタイプ１トランザクションのタイミングに適応する、（３６）に記載のトランスミッタ。
（３９）  前記スケジューラは、すべてのユーザデータをバッファし、そしてユーザのスロットまたは符号に応じてパケットを再送信するように前記シンボル選択マッピング論理モジュールに通知する、（３８）に記載のトランスミッタ。
（４０）  ＨＡＲＱ再送信を低減させるためのマルチレベルエラー訂正を調整するための方法であって、
レシーバのバックエンドから、訂正不可能なエラーを有する初期パケットを受信することに応じてローカルトランスミッタのバックエンドに対してＮＡＫタイプ２通知を提供することと、
レシーバの前記バックエンドにおいて、前記ＮＡＣＫタイプ２通知に応じて新しいチャネル符号化を有する第１の再送信パケットを受信することと、
前記レシーバのフロントエンドから、訂正不可能なエラーを有する前記第１の再送信パケットに応じてローカルトランスミッタのフロントエンドに対してＮＡＫタイプ１通知を提供することと、
前記レシーバの前記フロントエンドにおいて、末端のトランスミッタの前記フロントエンドを起源とする新しいＰＡＰＲ符号化を有する後で再送信されたパケットを受信することと、
を備える方法。
（４１）  前記レシーバの前記バックエンドにおいて、訂正不可能なエラーを有する初期パケット送信を受信することと、
前記レシーバの前記バックエンドから、前記レシーバの前記フロントエンドに対してＮＡＣＫタイプ２についての通知を提供することと、
をさらに備える（４０）に記載の方法。
（４２）  前記レシーバの前記フロントエンドにおいて、サイド情報が、有効でないことを決定することと、
前記レシーバの前記フロントエンドにおいて、エラー訂正メトリックが超過されないことを決定することと、
前記レシーバの前記フロントエンドから、前記ローカルトランスミッタの前記フロントエンドに対してＮＡＣＫタイプ１通知を提供することと、
前記レシーバの前記フロントエンドにおいて、前記末端のトランスミッタの前記フロントエンドを起源とする新しいＰＡＰＲ符号化を有する別の後で再送信されたパケットを受信することと、
をさらに備える（４０）に記載の方法。
（４３）  前記レシーバの前記フロントエンドにおいて、サイド情報が、有効でないことを決定することと、
前記レシーバの前記フロントエンドにおいて、エラー訂正メトリックが超過されることを決定することと、
前記レシーバの前記フロントエンドから、前記レシーバの前記バックエンドに対してカウンタ満了通知を提供することと、
前記レシーバの前記バックエンドから、前記トランスミッタの前記バックエンドに対してＮＡＣＫタイプ２通知を提供することと、
前記レシーバの前記バックエンドフロントエンドにおいて、前記末端のトランスミッタの前記バックエンドを起源とする新しいチャネル符号化を有する別の再送信パケットを受信することと、
をさらに備える（４０）に記載の方法。
（４４）  ＨＡＲＱ再送信を低減させるためのマルチレベルエラー訂正を調整するための方法であって、
トランスミッタのバックエンドから、訂正不可能なエラーを有する初期パケット送信を提供することと、
ローカルレシーバのバックエンドから、前記トランスミッタの前記バックエンドに向けられた再送信要求を受信することと、
前記トランスミッタの前記バックエンドから、新しいチャネル符号化を有する後続のパケットを再送信することと、
前記ローカルレシーバのフロントエンドから、前記トランスミッタの前記フロントエンドに向けられた再送信要求を受信することと、
前記トランスミッタのフロントエンドから、新しいＰＡＰＲ符号化を有する後続のパケットを再送信することと、
を備える方法。
（４５）  前記ローカルレシーバの前記フロントエンドから、前記トランスミッタの前記フロントエンドに向けられた後続の再送信要求を受信することと、
前記トランスミッタのフロントエンドから、新しいＰＡＰＲ符号化を有する別の後続のパケットを再送信することと、
をさらに備える（４４）に記載の方法。
（４６）  前記ローカルレシーバの前記バックエンドから、前記トランスミッタの前記バックエンドに向けられた後続の再送信要求を受信することと、
前記トランスミッタのバックエンドから、新しいチャネル符号化を有する別の後続のパケットを再送信することと、
をさらに備える（４４）に記載の方法。
（４７）  通信リンク上で受信されるエラーを訂正するための装置であって、
デコーダにおいてパケットを受信するための手段と、なお前記パケットは、初期送信の第１の再送信である、
前記パケットが、前記初期送信および／または前記再送信を使用して訂正不可能であるエラーを含むかどうかを決定するための手段と、
ピーク対平均電力比（ＰＡＰＲ）管理モジュールエンコーダを起源とする前記パケットの後続の再送信に基づいて第１のレベルのエラー訂正を実行するための手段と、
前記破損されたパケットが、前記第１のエラー訂正によって訂正されることができるかどうかを決定するための手段と、
前記第１のエラー訂正が、前記破損されたパケットを訂正することができない場合に、エンコーダを起源とする後続の再送信に基づいて第２のレベルのエラー訂正を実行するための手段と、
を備える装置。
（４８）  前記ＰＡＰＲ管理モジュールエンコーダを起源とする前記後で再送信されたパケットに対応するサイド情報を決定するための手段と、
前記サイド情報が、訂正不可能なエラーを含むかどうかを決定するための手段と、
をさらに備える（４７）に記載の装置。
（４９）  前記サイド情報が、訂正不可能なエラーを含まない場合に、別の第２のレベルのエラー訂正を実行するための手段と、
前記サイド情報エラー訂正が、成功しなかった場合に、第１のレベルのエラー訂正メトリックを決定するための手段と、
をさらに備える（４８）に記載の装置。
（５０）  前記ＰＡＰＲ管理モジュールエンコーダを起源とする前記後で再送信されたパケットに対応する前記サイド情報を受信するための手段と、
前記受信されたサイド情報に対してエラー訂正オペレーションを実行するための手段と、
をさらに備える（４８）に記載の装置。
（５１）  前記第１のレベルのエラー訂正は、選択的マッピング（ＳＬＭ）を利用しており、そして前記エラー訂正オペレーションは、畳み込みエラー訂正符号化を備える、（５０）に記載の装置。
（５２）  通信リンク上で送信されるエラーを訂正する装置であって、
パケットをレシーバへと送信するための手段と、
ピーク対平均電力比管理モジュール（ＰＡＰＲ  ＭＭ）エンコーダに前記パケットに対応する送信シンボルをバッファするための手段と、
前記レシーバから前記パケットのステータスに関する通知を受信するための手段と、
受信された通知に基づいて第１の符号化と第２の符号化との間で選択するための手段と、
を備え、前記第１の符号化は、前記ＰＡＰＲ  ＭＭエンコーダに関連する第１のレベルのエラー訂正に対応し、そして前記第２の符号化は、チャネルエンコーダに関連する第２のレベルのエラー訂正に対応する、装置。
（５３）  前記通知が、前記送信パケットが訂正不可能なエラーを有したことを示したことを決定するための手段と、なお前記通知は、前記第１のレベルのエラー訂正に関連づけられる、
前記バッファされたシンボルを使用してトランスミッタのフロントエンドにおける前記ＰＡＰＲ  ＭＭエンコーダにおいて前記パケットを再符号化するための手段と、
前記再符号化されたパケットを前記レシーバへと送信するための手段と、
をさらに備える（５２）に記載の装置。
（５４）  前記通知が、前記送信パケットが訂正不可能なエラーを有したことを示したことを決定するための手段と、なお前記通知は、前記第２のレベルのエラー訂正に関連づけられる、
トランスミッタのバックエンドにおける前記チャネルエンコーダにおいて前記パケットを再符号化するための手段と、
前記再符号化されたパケットを前記レシーバへと送信するための手段と、
をさらに備える（５２）に記載の装置。
（５５）  ＨＡＲＱ再送信を低減させるマルチレベルエラー訂正を実行するための装置であって、
第１のレシーバにおいて、第２のトランスミッタからパケット再送信を受信するための手段と、
前記第１のレシーバにおいて、前記パケットが、前記再送信および／または初期送信を使用して訂正不可能であるエラーを含むかどうかを決定するための手段と、
第１のトランスミッタから、否定応答（ＮＡＣＫ）を第２のレシーバへと送信するための手段と、
前記第２のトランスミッタにおいて、前記ＮＡＣＫに基づいて第１の符号化と第２の符号化との間で選択するための手段と、
を備え、前記第１の符号化は、ＮＡＣＫタイプ１に関連する第１のレベルのエラー訂正に対応し、そして前記第２の符号化は、ＮＡＣＫタイプ２に関連する第２のレベルのエラー訂正に対応する、装置。
（５６）  ＮＡＣＫタイプ１が送信された場合に、
前記第２のトランスミッタの中に存在するＰＡＰＲ  ＭＭエンコーダにおいて前記パケットを再符号化するための手段と、
前記第２のトランスミッタから、後続の再送信を前記第１のレシーバへと送信するための手段と、
前記第１のレシーバの中に存在するＰＡＰＲ  ＭＭデコーダにおいて前記後続の再送信を復号するための手段と、
をさらに備える（５５）に記載の装置。
（５７）  前記ＰＡＰＲ  ＭＭエンコーダにおいてサイド情報を生成するための手段と、
前記後続の送信を伴う前記サイド情報を前記第１のレシーバへと送信するための手段と、
前記サイド情報を使用して前記ＰＡＰＲ  ＭＭデコーダにおいて前記後続の再送信を復号するための手段と、
をさらに備える（５６）に記載の装置。
（５８）  ＮＡＣＫタイプ２が送信された場合に、
前記第２のトランスミッタの中に存在するチャネルエンコーダにおいて前記パケットを再符号化するための手段と、
前記第２のトランスミッタから、後続の再送信を前記第１のレシーバへと送信するための手段と、
前記第１のレシーバの中に存在するチャネルデコーダにおいて前記後続の再送信を復号するための手段と、
をさらに備える（５５）に記載の装置。
（５９）  ＨＡＲＱ再送信を低減させるためのマルチレベルエラー訂正を調整するための装置であって、
レシーバのバックエンドから、訂正不可能なエラーを有する初期パケットを受信することに応じてローカルトランスミッタのバックエンドに対してＮＡＫタイプ２通知を提供するための手段と、
レシーバの前記バックエンドにおいて、前記ＮＡＣＫタイプ２通知に応じて新しいチャネル符号化を有する第１の再送信パケットを受信するための手段と、
前記レシーバのフロントエンドから、訂正不可能なエラーを有する前記第１の再送信パケットに応じてローカルトランスミッタのフロントエンドに対してＮＡＫタイプ１通知を提供するための手段と、
前記レシーバの前記フロントエンドにおいて、末端のトランスミッタの前記フロントエンドを起源とする新しいＰＡＰＲ符号化を有する後で再送信されたパケットを受信するための手段と、
を備える装置。
（６０）  前記レシーバの前記バックエンドにおいて、訂正不可能なエラーを有する初期パケット送信を受信するための手段と、
前記レシーバの前記バックエンドから、前記レシーバの前記フロントエンドに対してＮＡＣＫタイプ２についての通知を提供するための手段と、
をさらに備える（５９）に記載の装置。
（６１）  前記レシーバの前記バックエンドから、前記レシーバの前記フロントエンドに対してＮＡＣＫタイプ１通知を提供するための手段、
をさらに備える（５９）に記載の装置。
（６２）  前記レシーバの前記フロントエンドにおいて、サイド情報が有効であることを決定するための手段と、
前記レシーバの前記フロントエンドから、前記ローカルトランスミッタの前記バックエンドに対してＡＣＫ通知を提供するための手段と、
をさらに備える（５９）に記載の装置。
（６３）  前記レシーバの前記フロントエンドにおいて、サイド情報が、有効でないことを決定するための手段と、
前記レシーバの前記フロントエンドにおいて、エラー訂正メトリックが超過されないことを決定するための手段と、
前記レシーバの前記フロントエンドから、前記ローカルトランスミッタの前記フロントエンドに対してＮＡＣＫタイプ１通知を提供するための手段と、
前記レシーバの前記フロントエンドにおいて、前記末端のトランスミッタの前記フロントエンドを起源とする新しいＰＡＰＲ符号化を有する別の後で再送信されたパケットを受信するための手段と、
をさらに備える（５９）に記載の装置。
（６４）  前記レシーバの前記フロントエンドにおいて、サイド情報が、有効でないことを決定するための手段と、
前記レシーバの前記フロントエンドにおいて、エラー訂正メトリックが超過されることを決定するための手段と、
前記レシーバの前記フロントエンドから、前記レシーバの前記バックエンドに対してカウンタ満了通知を提供するための手段と、
前記レシーバの前記バックエンドから、前記トランスミッタの前記バックエンドに対してＮＡＣＫタイプ２通知を提供するための手段と、
前記レシーバの前記バックエンドフロントエンドにおいて、前記末端のトランスミッタの前記バックエンドを起源とする新しいチャネル符号化を有する別の再送信パケットを受信するための手段と、
をさらに備える（５９）に記載の装置。
（６５）  ＨＡＲＱ再送信を低減させるためのマルチレベルエラー訂正を調整するための装置であって、
トランスミッタのバックエンドから、訂正不可能なエラーを有する初期パケット送信を提供するための手段と、
ローカルレシーバのバックエンドから、前記トランスミッタの前記バックエンドに向けられた再送信要求を受信するための手段と、
前記トランスミッタの前記バックエンドから、新しいチャネル符号化を有する後続のパケットを再送信するための手段と、
前記ローカルレシーバのフロントエンドから、前記トランスミッタの前記フロントエンドに向けられた再送信要求を受信するための手段と、
前記トランスミッタのフロントエンドから、新しいＰＡＰＲ符号化を有する後続のパケットを再送信するための手段と、
を備える装置。
（６６）  前記ローカルレシーバの前記フロントエンドから、前記トランスミッタの前記フロントエンドに向けられた後続の再送信要求を受信するための手段と、
前記トランスミッタのフロントエンドから、新しいＰＡＰＲ符号化を有する別の後続のパケットを再送信するための手段と、
をさらに備える（６５）に記載の装置。
（６７）  前記ローカルレシーバの前記バックエンドから、前記トランスミッタの前記バックエンドに向けられた後続の再送信要求を受信するための手段と、
前記トランスミッタのバックエンドから、新しいチャネル符号化を有する別の後続のパケットを再送信するための手段と、
をさらに備える（６５）に記載の装置。
（６８）  通信リンク上で受信されるエラーを訂正するための論理を実施するコンピュータ可読媒体であって、前記論理は、
デコーダにおいてパケットを受信することと、なお前記パケットは、初期送信の第１の再送信である、
前記パケットが、前記初期送信および／または前記再送信を使用して訂正不可能であるエラーを含むかどうかを決定することと、
ピーク対平均電力比（ＰＡＰＲ）管理モジュールエンコーダを起源とする前記パケットの後続の再送信に基づいて第１のレベルのエラー訂正を実行することと、
前記破損されたパケットが、前記第１のエラー訂正によって訂正されることができるかどうかを決定することと、
前記第１のエラー訂正が、前記破損されたパケットを訂正することができない場合に、エンコーダを起源とする後続の再送信に基づいて第２のレベルのエラー訂正を実行することと、
を備える方法を実行するように構成されている、コンピュータ可読媒体。
（６９）  前記ＰＡＰＲ管理モジュールエンコーダを起源とする前記後で再送信されたパケットに対応するサイド情報を決定することと、
前記サイド情報が、訂正不可能なエラーを含むかどうかを決定することと、
をさらに備える前記方法を実行するように構成された追加の論理を有する（６８）に記載のコンピュータ可読媒体。
（７０）  前記サイド情報が、訂正不可能なエラーを含まない場合に、別の第２のレベルのエラー訂正を実行することと、
前記サイド情報エラー訂正が、成功しなかった場合に、第１のレベルのエラー訂正メトリックを決定することと、
をさらに備える前記方法を実行するように構成された追加の論理を有する請求項６９に記載のコンピュータ可読媒体。
（７１）  前記エラー訂正メトリックが、しきい値を超過するかどうかを決定すること、
をさらに備え、前記しきい値が、超過されなかった場合に、
前記第１のエラー訂正メトリックに関連するカウンタを増分することと、
前記ＰＡＰＲ管理モジュールエンコーダを起源とする別の後続の送信を使用して前記第１のレベルのエラー訂正を再び実行することと、
をさらに備える前記方法を実行するように構成された追加の論理を有する（７０）に記載のコンピュータ可読媒体。
【国際調査報告】
2011524146.tif 000019
2011524146.tif 000020
2011524146.tif 000021
2011524146.tif 000022
2011524146.tif 000023